(57)【要約】【課題】無駄な消費電力を削減できる照明装置を提供する。【解決手段】本発明に係る照明制御システム１は、周囲の照度を測定する照度計測部１１３と各ＬＥＤ１０４の点灯パターンを導出する制御部１１２とを備えるリモコン１１、及び、リモコン１１から受信したエリア駆動パターンに従って各ＬＥＤ１０４の点灯及び消灯を個別に制御する主制御部３０２及びＬＥＤ制御部３０３を備える照明装置１０を備えていることを特徴としている。【選択図】図１
2013120696.tif 000002
【特許請求の範囲】
【請求項１】
複数の発光素子を有する照明装置と、上記照明装置を操作する遠隔操作装置と、を備えた照明制御システムであって、
上記遠隔操作装置は、
当該遠隔操作装置の周囲の照度を測定する照度測定手段と、
上記照度測定手段によって測定された照度の値と所定の閾値とから各発光素子の点灯パターンを導出する導出手段と、
上記導出手段によって導出された点灯パターンを示す点灯パターン情報を上記照明装置に送信する送信手段と、を備え、
上記照明装置は、
上記遠隔操作装置から受信した上記点灯パターン情報の示す点灯パターンに従って、各発光素子の点灯及び消灯を個別に制御する制御手段を備えている、
ことを特徴とする照明制御システム。
【請求項２】
上記導出手段は、照度の各値と上記所定の閾値との各差分値と各点灯パターンとが対応付けられた対応情報を参照し、上記照度測定手段によって測定した照度の値と上記所定の閾値との差分値に基づいて上記点灯パターンを導出する、
ことを特徴とする請求項１に記載の照明制御システム。
【請求項３】
上記照明装置を複数備えており、
上記照度測定手段によって測定される照度は、上記複数の照明装置が重複して照射する重複領域の照度であり、
上記点灯パターンは、上記照度が上記所定の閾値より大きいときに上記重複領域の照度を低下させるものである、
ことを特徴とする請求項１又は２に記載の照明制御システム。
【請求項４】
複数の発光素子を有する照明装置であって、
各発光素子の点灯及び消灯を個別に制御するための点灯パターン情報の示す点灯パターンに従って、各発光素子の点灯及び消灯を個別に制御する制御手段を備えている、
ことを特徴とする照明装置。
【請求項５】
複数の発光素子を有する照明装置を操作する遠隔操作装置であって、
当該遠隔操作装置の周囲の照度を測定する照度測定手段と、
上記照度測定手段によって測定された照度の値と所定の閾値とから発光素子の点灯パターンを導出する導出手段と、
上記導出手段によって導出された点灯パターンを示す点灯パターン情報を上記照明装置に送信する送信手段と、を備えている、
ことを特徴とする遠隔操作装置。
【請求項６】
複数の発光素子を有する照明装置及び上記照明装置を操作する遠隔操作装置の制御方法であって、
上記遠隔操作装置の周囲の照度を測定する照度測定ステップと、
上記照度測定ステップにおいて測定された照度の値と所定の閾値とから各発光素子の点灯パターンを導出する導出ステップと、
上記導出ステップにおいて導出された点灯パターンを示す点灯パターン情報を上記照明装置に送信する送信ステップと、
上記送信ステップにおいて送信された上記点灯パターン情報の示す点灯パターンに従って、上記照明装置の有する各発光素子の点灯及び消灯を個別に制御する制御ステップと、を含んでいる、
ことを特徴とする制御方法。
【請求項７】
複数の発光素子を有する照明装置と、上記照明装置を操作する遠隔操作装置と、を備えた照明制御システムであって、
上記遠隔操作装置は、
上記照明装置と対象物との距離の値の入力を受け付ける距離入力手段と、
上記距離入力手段から入力された対象物との距離の値から各発光素子の点灯パターンを導出する導出手段と、
上記導出手段によって導出された点灯パターンを示す点灯パターン情報を上記照明装置に送信する送信手段と、を備え、
上記照明装置は、
上記遠隔操作装置から受信した上記点灯パターン情報の示す点灯パターンに従って、各発光素子の点灯及び消灯を個別に制御する制御手段を備えている、
ことを特徴とする照明制御システム。
【請求項８】
上記対象物は、上記照明装置とは異なる、１つ又は複数の他の照明装置であって、
上記導出手段は、上記照明装置と上記他の照明装置との距離の各値と各点灯パターンとが対応付けられた対応情報を参照し、上記距離入力手段から入力された上記他の照明装置との距離の値に基づいて上記点灯パターンを導出する、
ことを特徴とする請求項７に記載の照明制御システム。
【請求項９】
上記対象物は、壁であって、
上記導出手段は、上記照明装置と上記壁との距離の各値と各点灯パターンとが対応付けられた対応情報を参照し、上記距離入力手段から入力された上記壁との距離の値に基づいて上記点灯パターンを導出する、
ことを特徴とする請求項７に記載の照明制御システム。
【請求項１０】
複数の発光素子を有する照明装置であって、
各発光素子の点灯及び消灯を個別に制御するための点灯パターン情報の示す点灯パターンに従って、各発光素子の点灯及び消灯を個別に制御する制御手段を備えている、
ことを特徴とする照明装置。
【請求項１１】
複数の発光素子を有する照明装置を操作する遠隔操作装置であって、
上記照明装置と対象物との距離の値の入力を受け付ける距離入力手段と、
上記距離入力手段から入力された対象物との距離から各発光素子の点灯パターンを導出する導出手段と、
上記導出手段によって導出された点灯パターンを示す点灯パターン情報を上記照明装置に送信する送信手段と、を備えている
ことを特徴とする遠隔操作装置。
【請求項１２】
複数の発光素子を有する照明装置及び上記照明装置を操作する遠隔操作装置の制御方法であって、
上記照明装置と対象物との距離の値の入力を受け付ける距離入力ステップと、
上記距離入力ステップにおいて入力された対象物との距離の値から各発光素子の点灯パターンを導出する導出ステップと、
上記導出ステップにおいて導出された点灯パターンを示す点灯パターン情報を上記照明装置に送信する送信ステップと、
上記照明装置は、
上記送信ステップにおいて送信された上記点灯パターン情報の示す点灯パターンに従って、各発光素子の点灯及び消灯を個別に制御する制御ステップと、を含んでいる、
ことを特徴とする制御方法。
【請求項１３】
複数の発光素子を有する照明装置であって、
当該照明装置から、対象物までの距離の値を測定する距離測定手段と、
各発光素子の点灯及び消灯を個別に制御する制御手段と、を備え、
上記制御手段は、上記距離測定手段によって測定された対象物までの距離に応じて、上記発光素子のそれぞれの点灯及び消灯を個別に制御する、
ことを特徴とする照明装置。
【請求項１４】
上記対象物は、上記照明装置とは異なる、１つ又は複数の他の照明装置であって、
上記制御手段は、上記照明装置と上記他の照明装置との距離の値と、各点灯パターンとが対応付けられた対応情報を参照し、上記距離測定手段によって測定された上記他の照明装置との距離の値に基づいて点灯パターンを導出し、導出した上記点灯パターンに従って各発光素子の点灯及び消灯を個別に制御する、
ことを特徴とする請求項１３に記載の照明装置。
【請求項１５】
上記対象物は、壁であって、
上記制御手段は、上記照明装置と上記壁との距離の値と、各点灯パターンとが対応付けられた対応情報を参照し、上記距離測定手段によって測定された上記壁との距離の値に基づいて点灯パターンを導出し、導出した上記点灯パターンに従って各発光素子の点灯及び消灯を個別に制御する、
ことを特徴とする請求項１３に記載の照明装置。
【請求項１６】
複数の発光素子を有する照明装置の制御方法であって、
上記照明装置から対象物までの距離の値を測定する距離測定ステップと、
各発光素子の点灯及び消灯を個別に制御する制御ステップと、を含み、
上記制御ステップは、上記距離測定ステップにおいて測定された対象物までの距離に応じて、各発光素子の点灯及び消灯を個別に制御する、
ことを特徴とする制御方法。
【請求項１７】
コンピュータを請求項４、１０、１３から１５の何れか１項に記載の照明装置として動作させるためのプログラムであって、上記コンピュータを上記照明装置の各手段として機能させるプログラム。
【請求項１８】
コンピュータを請求項５又は１１に記載の遠隔操作装置として動作させるためのプログラムであって、上記コンピュータを上記遠隔操作装置の各手段として機能させるプログラム。
【請求項１９】
請求項１７又は１８に記載のプログラムを記録したコンピュータ読み取り可能な記録媒体。
【発明の詳細な説明】
【技術分野】
【０００１】
本発明は、照明装置、遠隔操作装置、及び、照明装置と遠隔操作装置とを備えた照明制御システムに関する。また、照明装置、及び、遠隔操作装置を動作させるためのプログラム、および、プログラムが記録されている記録媒体に関する。
【背景技術】
【０００２】
近年、照明装置として、シーリングライト等にもＬＥＤを用いたＬＥＤ照明装置が利用されるようになってきている。
【０００３】
特許文献１には、周りの環境（例えば、晴れ又は曇りなど）、及び、使用者の使用状況に応じて調光の制御内容を異ならせることによって、柔軟な調光制御が行えるＬＥＤ照明制御システムが開示されている。具体的には、特許文献１に記載のＬＥＤ照明制御システムは、インターネットを介して制御サーバに無線接続されたＬＥＤ照明装置と無線リモコンとから構成され、天候に関する情報、及び、リモコンから送信される指示に基づいて、ＬＥＤ照明装置のＬＥＤの調光を制御している。
【０００４】
なお、ＬＥＤ照明装置は、光源として複数のＬＥＤを備えていることが一般的である。このため、ＬＥＤ照明装置は、複数のＬＥＤの一部のみを駆動させる（以降、エリア駆動とも呼称する）ことで、照射する範囲、調光及び調色などの制御を、ＬＥＤを用いていない照明装置よりも容易に行うことができる。
【先行技術文献】
【特許文献】
【０００５】
【特許文献１】特開２０１０−２３８５７２（２０１０年１０月２１日公開）
【発明の概要】
【発明が解決しようとする課題】
【０００６】
特許文献１に記載の技術は、ＬＥＤ照明装置から照射される光全体を調光する技術であり、特定の範囲の照度が他の範囲の照度と異なる場合であっても、当該特定の範囲の照度を調整することはできない。また、特許文献１に記載の技術では、特定の範囲が他の範囲よりも照度が高い場合、及び、他の範囲よりも照度を必要としない場合などであっても、当該特定の範囲の照度を適切に調整することはできない。このような場合に、特定の範囲が必要としている以上の照度となり、ＬＥＤ照明装置において無駄に電力が消費されてしまうという問題があった。
【０００７】
このような問題は、例えば、１つの部屋にＬＥＤ照明装置が複数備えられている場合、及び、ＬＥＤ照明装置が高い照度を必要としない範囲（例えば、壁など）を照射している場合などに、特に顕著に現れる。
【０００８】
例えば、１つの部屋にＬＥＤ照明装置が複数備えられている場合には、各ＬＥＤ照明装置から照射される範囲のうち、複数のＬＥＤ照明装置から重複して照射される範囲が存在する可能性が高い。このような場合には、複数のＬＥＤ照明装置に重複して照射される範囲の照度が、重複して照射されない範囲の照度よりも高くなる。ここで、図２１を参照し、ＬＥＤ照明装置が２つ備えられている場合を例に挙げて説明する。図２１は、特許文献１に記載の技術において、ＬＥＤ照明装置が２つ備えられている場合の、各ＬＥＤ照明装置の照射範囲を示す図である。
【０００９】
ＬＥＤ９１を複数有するＬＥＤ照明装置９０が２つ備えられている場合、図２１に示すように、２つのＬＥＤ照明装置９０から重複して照射される範囲が存在する。特許文献１に記載の技術を用いて重複して照射される範囲の照度を下げようとする場合、重複して照射されない範囲も同時に下がるため、重複して照射されない範囲の照度がさらに下がってしまう。つまり、各ＬＥＤ照明装置では、重複して照射される範囲を照射するために、無駄な電力が消費されてしまう。
【００１０】
また、ＬＥＤ照明装置が、壁など、高い照度を必要としない範囲を照射している場合にも、当該高い照度を必要としない範囲を、他の範囲の照度と略同じ照度で照射するため、ＬＥＤ照明装置において無駄な電力が消費されてしまう。
【００１１】
本発明は、上記の問題点に鑑みてなされたものであり、その目的は、無駄な消費電力を削減することのできる照明装置を提供することにある。
【課題を解決するための手段】
【００１２】
本発明に係る照明制御システムは、上記の課題を解決するために、複数の発光素子を有する照明装置と、上記照明装置を操作する遠隔操作装置と、を備えた照明制御システムであって、上記遠隔操作装置は、当該遠隔操作装置の周囲の照度を測定する照度測定手段と、上記照度測定手段によって測定された照度の値と所定の閾値とから各発光素子の点灯パターンを導出する導出手段と、上記導出手段によって導出された点灯パターンを示す点灯パターン情報を上記照明装置に送信する送信手段と、を備え、上記照明装置は、上記遠隔操作装置から受信した上記点灯パターン情報の示す点灯パターンに従って、各発光素子の点灯及び消灯を個別に制御する制御手段を備えている、ことを特徴としている。
【００１３】
上記の構成によれば、上記照明装置は、上記遠隔操作装置から送信される、上記遠隔操作装置周辺の照度の値（単に照度値とも呼称する）と所定の閾値（以降、単に閾値とも呼称する）とから導出された点灯パターンに従って、各発光素子の点灯及び消灯を個別に制御する。これによって、上記照明装置は、上記遠隔操作装置の周囲の照度を適正な照度に調整することができる。したがって、上記照明制御システムは、当該遠隔操作装置周辺の照度が適正でないために上記照明装置において無駄に消費される電力を削減することができる。
【００１４】
また、本発明に係る照明制御システムにおいて、上記導出手段は、照度の各値と上記所定の閾値との各差分値と各点灯パターンとが対応付けられた対応情報を参照し、上記照度測定手段によって測定した照度の値と上記所定の閾値との差分値に基づいて上記点灯パターンを導出する、ことが好ましい。
【００１５】
上記の構成によれば、上記遠隔操作装置は、上記対応情報を参照することで、上記点灯パターンを導出している。つまり、上記照明装置の備える上記制御手段は、上記遠隔操作装置から送信された、上記対応情報を参照して導出された上記点灯パターンに従って上記発光素子を個別に制御する。
【００１６】
これによって、上記遠隔操作装置は、上記照明装置に送信する上記点灯パターンを得るために、上記照度測定手段によって照度が測定される度に点灯パターンを算出する必要がない。したがって、簡単な構成によって上記遠隔操作装置を構成することができる。
【００１７】
また、本発明に係る照明制御システムは、上記照明装置を複数備えており、上記照度測定手段によって測定される照度は、上記複数の照明装置が重複して照射する重複領域の照度であり、上記点灯パターンは、上記照度が上記所定の閾値より大きいときに上記重複領域の照度を低下させるものである、ことが好ましい。
【００１８】
上記の構成によれば、各照明装置は、上記照度が上記閾値より大きいときに、上記遠隔操作装置から送信される点灯パターン情報の示す点灯パターンに従って、上記重複領域の照度を低下させるように制御する。例えば、上記点灯パターンが、上記重複領域を照射する複数の上記発光素子のうち、少なくとも１つ以上の上記発光素子を消灯することによって照度を低下させることを示している場合、各照明装置は、この点灯パターンに従って、上記重複領域を照射する複数の上記発光素子を、少なくとも１つ以上消灯することによって照度を低下させることができる。
【００１９】
これによって、上記照明制御システムは、上記遠隔操作装置の周囲の照度を適正な照度に調整することができるため、上記遠隔操作装置周辺の照度が適正でないために上記照明装置において無駄に消費されている電力を削減することができる。
【００２０】
本発明に係る照明装置は、上記の課題を解決するために、複数の発光素子を有する照明装置であって、各発光素子の点灯及び消灯を個別に制御するための点灯パターン情報の示す点灯パターンに従って、各発光素子の点灯及び消灯を個別に制御する制御手段を備えている、ことを特徴としている。
【００２１】
上記の構成によれば、上記照明装置は、点灯パターンに従って各発光素子の点灯及び消灯を個別に制御することによって、発光素子の点灯個数を適正に調整することができる。これによって、上記照明装置は、上記遠隔操作装置周辺の照度が適正でないために当該照明装置において無駄に消費される電力を削減することができる。
【００２２】
本発明に係る遠隔操作装置は、上記の課題を解決するために、複数の発光素子を有する照明装置を操作する遠隔操作装置であって、当該遠隔操作装置の周囲の照度を測定する照度測定手段と、上記照度測定手段によって測定された照度の値と所定の閾値とから発光素子の点灯パターンを導出する導出手段と、上記導出手段によって導出された点灯パターンを示す点灯パターン情報を上記照明装置に送信する送信手段と、を備えている、ことを特徴としている。
【００２３】
上記の構成によれば、上記遠隔操作装置は、照度値と閾値とから導出された点灯パターンに従って、各発光素子の点灯及び消灯を個別に制御するための点灯パターンを導出する。これによって、上記遠隔操作装置は、上記照明装置に、上記点灯パターンに従って当該遠隔操作装置の周囲の照度を適正な照度に調整させることができる。したがって、上記遠隔操作装置は、当該遠隔操作装置周辺の照度が適正でないために上記照明装置において無駄に消費される電力を、上記照明装置に削減させることができる。
【００２４】
本発明に係る制御方法は、上記の課題を解決するために、複数の発光素子を有する照明装置及び上記照明装置を操作する遠隔操作装置の制御方法であって、上記遠隔操作装置の周囲の照度を測定する照度測定ステップと、上記照度測定ステップにおいて測定された照度の値と所定の閾値とから各発光素子の点灯パターンを導出する導出ステップと、上記導出ステップにおいて導出された点灯パターンを示す点灯パターン情報を上記照明装置に送信する送信ステップと、上記送信ステップにおいて送信された上記点灯パターン情報の示す点灯パターンに従って、上記照明装置の有する各発光素子の点灯及び消灯を個別に制御する制御ステップと、を含んでいる、ことを特徴としている。
【００２５】
上記の構成によれば、上記照明装置は、上記遠隔操作装置から送信される、照度値と所定の閾値とから導出した点灯パターンに従って、上記発光素子のそれぞれの点灯及び消灯を個別に制御する。これによって、上記照明装置は、上記遠隔操作装置の周囲の照度を、適正な照度に調整することができる。したがって、上記遠隔操作装置周辺の照度が適正でないために上記照明装置において消費されている無駄な電力を削減することができる。
【００２６】
本発明に係る照明制御システムは、上記の課題を解決するために、複数の発光素子を有する照明装置と、上記照明装置を操作する遠隔操作装置と、を備えた照明制御システムであって、上記遠隔操作装置は、上記照明装置と対象物との距離の値の入力を受け付ける距離入力手段と、上記距離入力手段から入力された対象物との距離の値から各発光素子の点灯パターンを導出する導出手段と、上記導出手段によって導出された点灯パターンを示す点灯パターン情報を上記照明装置に送信する送信手段と、を備え、上記照明装置は、上記遠隔操作装置から受信した上記点灯パターン情報の示す点灯パターンに従って、各発光素子の点灯及び消灯を個別に制御する制御手段を備えている、ことを特徴としている。
【００２７】
上記の構成によれば、上記照明装置は、上記遠隔操作装置から送信される、当該照明装置と上記対象物との距離から導出された点灯パターンに従って、各発光素子の点灯及び消灯を個別に制御する。これによって、上記照明装置は、当該照明装置と上記対象物との間の照度、及び、上記対象物の照度の少なくとも何れかを適正に調整することができる。したがって、上記照明制御システムは、照度が適正でないために上記照明装置において無駄に消費される電力を削減することができる。
【００２８】
なお、上記対象物としては、後述するように、上記照明装置とは異なる他の照明装置、及び、壁などを例に挙げることができる。
【００２９】
また、本発明に係る照明制御システムにおいて、上記対象物は、上記照明装置とは異なる、１つ又は複数の他の照明装置であって、上記導出手段は、上記照明装置と上記他の照明装置との距離の各値と各点灯パターンとが対応付けられた対応情報を参照し、上記距離入力手段から入力された上記他の照明装置との距離の値に基づいて上記点灯パターンを導出する、ことが好ましい。
【００３０】
上記の構成によれば、上記遠隔操作装置は、上記対応情報を参照することによって、上記点灯パターンを導出している。つまり、上記照明装置の備える上記制御手段は、上記遠隔操作装置から送信された、上記対応情報を参照して導出された上記点灯パターンに従って上記発光素子を個別に制御する。
【００３１】
これによって、上記照明装置は、上記対象物が上記他の照明装置である場合に、当該照明装置と上記他の照明装置との間の照度を適正に調整することができる。また、上記照明装置は、上記他の照明装置と重複して照射する重複領域の照度を適正に調整することもできる。例えば、当該照明装置と上記他の照明装置との距離が短い場合には、上記他の照明装置が配置されている方向を照射する各発光素子の点灯個数を少なくすることにより、上記他の照明装置との間の照度、及び、上記重複領域の照度を調整することができる。
【００３２】
したがって、上記照明制御システムは、照度が適正でないために上記照明装置において無駄に消費される電力を削減することができる。
【００３３】
また、上記遠隔操作装置は、上記照明装置に送信する上記点灯パターンを得るために、上記距離入力手段から距離が入力される度に点灯パターンを算出する必要がないため、簡単な構成によって上記遠隔操作装置を構成することができる。
【００３４】
また、本発明に係る照明制御システムにおいて、上記対象物は、壁であって、上記導出手段は、上記照明装置と上記壁との距離の各値と各点灯パターンとが対応付けられた対応情報を参照し、上記距離入力手段から入力された上記壁との距離の値に基づいて上記点灯パターンを導出する、ことが好ましい。
【００３５】
上記の構成によれば、上記遠隔操作装置は、上記対応情報を参照することにより、上記点灯パターンを導出している。つまり、上記照明装置の備える上記制御手段は、上記遠隔操作装置から送信された、上記対応情報を参照して導出された上記点灯パターンに従って上記発光素子を個別に制御する。
【００３６】
これによって、上記照明装置は、上記対象物が上記壁である場合に、上記壁の照度を適正に調整することができる。例えば、当該照明装置と上記壁との距離が短い場合には、上記壁が配置されている方向を照射する各発光素子の点灯個数を少なくすることにより、上記壁の照度を調整することができる。
【００３７】
したがって、上記照明制御システムは、上記壁の照度を適正に調整することで、無駄な消費電力を削減することができる。
【００３８】
また、上記遠隔操作装置は、上記照明装置に送信する上記点灯パターンを得るために、上記距離入力手段から距離が入力される度に点灯パターンを算出する必要がないため、簡単な構成によって上記遠隔操作装置を構成することができる。
【００３９】
本発明に係る照明装置は、上記の課題を解決するために、複数の発光素子を有する照明装置であって、各発光素子の点灯及び消灯を個別に制御するための点灯パターン情報の示す点灯パターンに従って、各発光素子の点灯及び消灯を個別に制御する制御手段を備えている、ことを特徴としている。
【００４０】
上記の構成によれば、上記照明装置は、点灯パターンに従って各発光素子の点灯及び消灯を個別に制御することによって、発光素子の点灯個数を適正に調整することができる。これによって、上記照明装置は、照度が適正でないために当該照明装置において無駄に消費される電力を削減することができる。
【００４１】
本発明に係る遠隔操作装置は、上記の課題を解決するために、複数の発光素子を有する照明装置を操作する遠隔操作装置であって、上記照明装置と対象物との距離の値の入力を受け付ける距離入力手段と、上記距離入力手段から入力された対象物との距離から各発光素子の点灯パターンを導出する導出手段と、上記導出手段によって導出された点灯パターンを示す点灯パターン情報を上記照明装置に送信する送信手段と、を備えている、ことが好ましい。
【００４２】
上記の構成によれば、上記遠隔操作装置は、上記距離入力手段から入力された距離から、各発光素子の点灯及び消灯を個別に制御するための点灯パターンを導出する。これによって、上記遠隔操作装置は、上記照明装置に、上記点灯パターンに従って当該遠隔操作装置の周囲の照度を適正な照度に調整させることができる。したがって、上記遠隔操作装置は、照度が適正でないために上記照明装置において無駄に消費される電力を、上記照明装置に削減させることができる。
【００４３】
本発明に係る制御方法は、複数の発光素子を有する照明装置及び上記照明装置を操作する遠隔操作装置の制御方法であって、上記照明装置と対象物との距離の値の入力を受け付ける距離入力ステップと、上記距離入力ステップにおいて入力された対象物との距離の値から各発光素子の点灯パターンを導出する導出ステップと、上記導出ステップにおいて導出された点灯パターンを示す点灯パターン情報を上記照明装置に送信する送信ステップと、上記照明装置は、上記送信ステップにおいて送信された上記点灯パターン情報の示す点灯パターンに従って、各発光素子の点灯及び消灯を個別に制御する制御ステップと、を含んでいる、ことを特徴としている。
【００４４】
上記の構成によれば、上記照明装置は、上記遠隔操作装置から送信される、当該照明装置と上記壁との距離から導出された点灯パターンに従って、各発光素子の点灯及び消灯を個別に制御する。これによって、上記照明装置は、当該照明装置と上記対象物との間の照度、及び、上記対象物の照度の少なくとも何れかを適正に調整することができる。したがって、上記照明装置において消費されている、適正でない照度を得るための無駄な電力を削減することができる。
【００４５】
本発明に係る照明装置は、上記の課題を解決するために、複数の発光素子を有する照明装置であって、当該照明装置から、対象物までの距離の値を測定する距離測定手段と、各発光素子の点灯及び消灯を個別に制御する制御手段と、を備え、上記制御手段は、上記距離測定手段によって測定された対象物までの距離に応じて、上記発光素子のそれぞれの点灯及び消灯を個別に制御する、ことを特徴としている。
【００４６】
上記の構成によれば、上記照明装置は、上記距離測定手段にて測定した、当該照明装置から上記対象物までの距離から導出された点灯パターンに従って、各発光素子の点灯及び消灯を個別に制御する。これによって、上記照明装置は、当該照明装置と上記対象物との間の照度、及び、上記対象物の照度の少なくとも何れかを適正に調整することができる。したがって、上記照明装置は、照度が適正でないために当該照明装置において無駄に消費される電力を削減することができる。
【００４７】
なお、上記対象物としては、後述するように、上記照明装置とは異なる他の照明装置、及び、壁などを例に挙げることができる。
【００４８】
また、本発明に係る照明装置において、上記対象物は、上記照明装置とは異なる、１つ又は複数の他の照明装置であって、上記制御手段は、上記照明装置と上記他の照明装置との距離の値と、各点灯パターンとが対応付けられた対応情報を参照し、上記距離測定手段によって測定された上記他の照明装置との距離の値に基づいて点灯パターンを導出し、導出した上記点灯パターンに従って各発光素子の点灯及び消灯を個別に制御する、ことが好ましい。
【００４９】
上記の構成によれば、上記制御手段は、上記対応情報を参照することにより、上記距離測定手段によって測定された距離に基づいた上記点灯パターンを導出し、導出した上記点灯パターンに従って上記発光素子を個別に制御する。
【００５０】
これによって、上記照明装置は、上記対象物が上記他の照明装置である場合に、当該照明装置と上記他の照明装置との間の照度を適正に調整することができる。また、上記照明装置は、上記他の照明装置と重複して照射する重複領域の照度を適正に調整することもできる。
【００５１】
例えば、当該照明装置と上記他の照明装置との距離が短い場合には、上記他の照明装置が配置されている方向を照射する各発光素子の点灯個数を少なくすることにより、上記他の照明装置との間の照度、及び、上記重複領域の照度を調整することができる。したがって、上記照明装置は、上記他の照明装置との間の照度を適正に調整することで、無駄な消費電力を削減することができる。
【００５２】
また、上記照明装置は、上記点灯パターンを得るために、上記距離測定手段によって距離が測定される度に点灯パターンを算出する必要がないため、簡単な構成によって上記照明装置を構成することができる。
【００５３】
また、本発明に係る照明装置において、上記対象物は、壁であって、上記制御手段は、上記照明装置と上記壁との距離の値と、各点灯パターンとが対応付けられた対応情報を参照し、上記距離測定手段によって測定された上記壁との距離の値に基づいて点灯パターンを導出し、導出した上記点灯パターンに従って各発光素子の点灯及び消灯を個別に制御する、ことが好ましい。
【００５４】
上記の構成によれば、上記制御手段は、上記対応情報を参照することにより、上記距離測定手段によって測定された距離に基づいた上記点灯パターンを導出し、導出した上記点灯パターンに従って上記発光素子を個別に制御する。
【００５５】
これによって、上記照明装置は、上記対象物が上記壁である場合に、上記壁の照度を適正に調整することができる。例えば、当該照明装置と上記壁との距離が短い場合には、上記壁が配置されている方向を照射する各発光素子の点灯個数を少なくすることにより、上記壁の照度を調整することができる。
【００５６】
したがって、上記照明装置は、上記壁の照度を適正に調整することで、無駄な消費電力を削減することができる。
【００５７】
また、上記照明装置は、上記点灯パターンを得るために、上記距離測定手段によって距離が測定される度に点灯パターンを算出する必要がないため、簡単な構成によって上記照明装置を構成することができる。
【００５８】
本発明に係る制御方法は、複数の発光素子を有する照明装置の制御方法であって、上記照明装置から対象物までの距離の値を測定する距離測定ステップと、各発光素子の点灯及び消灯を個別に制御する制御ステップと、を含み、上記制御ステップは、上記距離測定ステップにおいて測定された対象物までの距離に応じて、各発光素子の点灯及び消灯を個別に制御する、ことを特徴としている。
【００５９】
上記の構成によれば、上記照明装置の制御方法は、上記距離測定ステップにおいて測定した、当該照明装置から上記対象物までの距離から導出された点灯パターンに従って、各発光素子の点灯及び消灯を個別に制御する制御ステップを含んでいる。これによって、上記照明装置は、当該照明装置と上記対象物との間の照度、及び、上記対象物の照度の少なくとも何れかを適正に調整することができる。したがって、照度が適正でないために上記照明装置において無駄に消費される電力を削減することができる。
【００６０】
また、本発明に係る照明装置、又は、遠隔操作装置を動作させるためのプログラムであって、コンピュータを上記の各手段として機能させることを特徴とするプログラム、及び、これらのプログラムのうち少なくとも何れかを記録したコンピュータ読み取り可能な記録媒体も本発明の範疇に含まれる。
【発明の効果】
【００６１】
本発明に係る照明制御システムは、以上のように、複数の発光素子を有する照明装置と、上記照明装置を操作する遠隔操作装置と、を備えた照明制御システムであって、上記遠隔操作装置は、当該遠隔操作装置の周囲の照度を測定する照度測定手段と、上記照度測定手段によって測定された照度の値と所定の閾値とから各発光素子の点灯パターンを導出する導出手段と、上記導出手段によって導出された点灯パターンを示す点灯パターン情報を上記照明装置に送信する送信手段と、を備え、上記照明装置は、上記遠隔操作装置から受信した上記点灯パターン情報の示す点灯パターンに従って、各発光素子の点灯及び消灯を個別に制御する制御手段を備えている、ことを特徴としている。
【００６２】
また、本発明に係る照明制御システムは、以上のように、複数の発光素子を有する照明装置と、上記照明装置を操作する遠隔操作装置と、を備えた照明制御システムであって、上記遠隔操作装置は、上記照明装置と対象物との距離の値の入力を受け付ける距離入力手段と、上記距離入力手段から入力された対象物との距離の値から各発光素子の点灯パターンを導出する導出手段と、上記導出手段によって導出された点灯パターンを示す点灯パターン情報を上記照明装置に送信する送信手段と、を備え、上記照明装置は、上記遠隔操作装置から受信した上記点灯パターン情報の示す点灯パターンに従って、各発光素子の点灯及び消灯を個別に制御する制御手段を備えている、ことを特徴としている。
【００６３】
また、本発明に係る照明装置は、以上のように、複数の発光素子を有する照明装置であって、当該照明装置から、対象物までの距離の値を測定する距離測定手段と、各発光素子の点灯及び消灯を個別に制御する制御手段と、を備え、上記制御手段は、上記距離測定手段によって測定された対象物までの距離に応じて、上記発光素子のそれぞれの点灯及び消灯を個別に制御する、ことを特徴としている。
【００６４】
さらに、本発明に係る照明制御システムは、以上のように、複数の発光素子を有する照明装置と、部屋の間取りを示す間取り情報と、当該部屋における１または複数の照明装置の配置を示す配置情報とを取得する取得手段と、上記取得手段によって取得された上記間取り情報と上記配置情報とを参照して、各照明装置の点灯パターンを導出する導出手段と、を備え、上記照明装置は、上記導出手段によって導出された点灯パターンに従って、各発光素子の点灯及び消灯を個別に制御する、ことを特徴としている。
【００６５】
したがって、上記照明制御システム、及び、上記照明装置は、無駄な消費電力を削減することができる。
【図面の簡単な説明】
【００６６】
【図１】本発明の一実施形態に係る照明制御システムの概略を示すブロック図である。
【図２】本発明の一実施形態に係る照明装置が備えるＬＥＤチップの光の指向性を示す図である。
【図３】いわゆる砲弾型と呼ばれるＬＥＤの構造の概略を示す図である。
【図４】いわゆる表面実装型と呼ばれるＬＥＤの構造の概略を示す図である。
【図５】本発明の一実施形態に係る照明装置が２つ備えられている場合の、各照明装置の照射範囲を示す図である。
【図６】本発明の一実施形態に係る照明制御システムの照度範囲調整モードに関する動作の流れを示すフローチャートである。
【図７】本発明の一実施形態において、１つの部屋に２つの照明装置が備えられている場合の、各照明装置に備えられているＬＥＤの駆動状態を示す図である。
【図８】本発明の一実施形態に係る照明装置の周辺の照度のシミュレーションを行う条件、及び、結果を示す図である。
【図９】本発明の一実施形態において、１つの部屋に２つの照明装置が備えられている場合の、シミュレーションによって得えられた部屋の照度分布を示す。
【図１０】本発明の他の実施形態に係る照明制御システムの概略を示すブロック図である。
【図１１】本発明の他の実施形態に係る照明制御システムの照度範囲調整モードに関する動作の流れを示すフローチャートである。
【図１２】本発明の他の実施形態において、２つの照明装置間の距離と、各照明装置が備えるＬＥＤの点灯個数との関係の一例を示す図である。
【図１３】本発明の他の実施形態において、２つの照明装置間の距離に対する、各照明装置が備えるＬＥＤの点灯個数の関係の一例を示すグラフである。
【図１４】本発明の他の実施形態の変形例において、壁に用いられる材質と、材質の反射率との関係を示す図である。
【図１５】本発明のさらに他の実施形態に係る照明制御システムの概略を示すブロック図である。
【図１６】本発明のさらに他の実施形態に係る照明制御システムの照度範囲調整処理に関する動作の流れを示すフローチャートである。
【図１７】本発明のさらに他の実施形態に係る照明制御システムの概略を示すブロック図である。
【図１８】本発明のさらに他の実施形態に係る照明制御システムの照度範囲調整処理に関する動作の流れを示すフローチャートである。
【図１９】本発明のさらに他の実施形態に係る照明制御システムにおける、照明装置の直射水平面照度を示す図である。
【図２０】本発明のさらに他の実施形態において、壁、床及び天井などに用いられる材質と、材質の反射率との関係を示す図である。
【図２１】従来技術において、ＬＥＤ照明装置が２つ備えられている場合の、各ＬＥＤ照明装置の照射範囲を示す図である。
【発明を実施するための形態】
【００６７】
＜実施形態１＞
本発明に係る照明制御システムの一実施形態について、図１から図９を参照して以下に説明する。但し、この実施形態に記載されている構成は、特に特定的な記載がない限り、この発明の範囲をそれのみに限定する趣旨ではなく、単なる説明例に過ぎない。
【００６８】
〔照明制御システム〕
本実施形態に係る照明制御システムについて、図１を参照して説明する。図１は、本実施形態に係る照明制御システム１の概略を示すブロック図である。図１に示すように、本実施形態に係る照明制御システム１は、照明装置１０、及び、照明装置１０を遠隔操作するリモートコントローラ（以降、単にリモコンとも呼称する）（遠隔操作装置）１１を備えている。
【００６９】
（リモコン）
リモコン１１は、図１に示すように、無線通信部（送信手段）１１１、制御部（導出手段）１１２、照度計測部（照度測定手段）１１３、及び、メモリ１１４を備えている。
【００７０】
照度計測部１１３は、リモコン１１の周囲の照度を計測する。なお、照度計測部１１３は、照度計及び照度センサなどを用いることができる。
【００７１】
制御部１１２は、リモコン１１の備える各部の動作を制御する。また、制御部１１２は、照度計測部１１３において計測された照度の値（測定値とも呼称する）と、所定の閾値とから、照明装置１０におけるエリア駆動パターン（点灯パターン）を導出する手段である。
【００７２】
具体的には、制御部１１２は、測定値と閾値とを比較し、その差分値に基づいて、照明装置１０のエリア駆動パターンをメモリ１１４から読み出す。制御部１１２は、メモリ１１４から読み出した照明装置１０のエリア駆動パターンを、無線通信部１１１を介して照明装置１０に送信する。
【００７３】
なお、エリア駆動パターンの詳細については後述するが、照明装置１０をエリア駆動させるために、後述する、照明装置１０の備えるＬＥＤ制御部１０３において参照されるＬＥＤ１０４の点灯パターンを示している。また、エリア駆動とは、照明装置１０において、照明装置１０が備える複数のＬＥＤ１０４の一部のみを駆動させる駆動方法である。エリア駆動により、照明装置１０が照射する範囲などの制御を容易に行うことができる。
【００７４】
メモリ１１４には、制御部１１２において比較に用いられる閾値、及び、照明装置１０において参照されるエリア駆動パターンと測定値及び閾値の差分値とが関連付けられている対応情報などが格納されている。
【００７５】
なお、閾値は、メモリ１１４に格納されていてもよいが、例えば、照度計測部１１３によって測定された照度を閾値として用いる構成を採用してもよい。
【００７６】
無線通信部１１１は、制御部１１２においてメモリ１１４から読み出されたエリア駆動パターンを示すエリア駆動パターン情報（点灯パターン情報）を、リモコン信号として照明装置１０に送信する。また、無線通信部１１１は、さらに、リモコン信号として照明装置１０の点灯及び消灯を制御するオンオフ信号を送信してもよい。
【００７７】
（照明装置）
照明装置１０は、図１に示すように、無線通信部１０１、主制御部（制御手段）１０２、ＬＥＤ制御部（制御手段）１０３、及び、複数のＬＥＤ（発光素子）１０４を備えている。
【００７８】
無線通信部１０１は、リモコン１１から送信されるリモコン信号を受信する。具体的には、リモコン１１からリモコン信号として送信されるエリア駆動パターン情報、及び、照明装置１０の点灯及び消灯を制御するオンオフ信号などを受信する。なお、無線通信部１０１及び無線通信部１１１における無線通信は、例えば、赤外線通信、Zigbee（登録商標）、Z-Wave、Bluetooth（登録商標）などによって実現することができる。
【００７９】
主制御部１０２は、照明装置１０が備える各部の動作を制御する。また、主制御部１０２は、リモコン１１から送信されるエリア駆動パターン情報の示すエリア駆動パターンに従ってＬＥＤ１０４のエリア駆動を実行する旨をＬＥＤ制御部１０３に通知する。
【００８０】
ＬＥＤ制御部１０３は、主制御部１０２からの通知に従い、照明装置１０に備えられている各ＬＥＤ１０４の点灯及び消灯を個別に制御するエリア駆動制御を行う。主制御部１０２、及び、ＬＥＤ制御部１０３は、さらに、各ＬＥＤ１０４のそれぞれの明るさ等を個別に制御するよう動作してもよい。
【００８１】
〔ＬＥＤの種類〕
ここで、本実施形態における照明装置１０に用いられるＬＥＤ１０４の種類の一例について、図２から図４を参照して説明する。
【００８２】
（ＬＥＤチップの光の指向性）
まず、図２を参照して、ＬＥＤチップの光の指向性について説明する。図２は、ＬＥＤチップ１４１の光の指向性を示す図である。図２（ａ）は、ＬＥＤチップ１４１チップの光の指向性を示し、（ｂ）は、ＬＥＤチップ１４１にレンズ１４９を設けた場合の光の指向性を示している。
【００８３】
図２（ａ）に示すように、ＬＥＤチップ１４１は、約１２０°の角度の光の指向性がある。また、図２２（ｂ）に示すように、ＬＥＤチップ１４１にレンズ１４９を設けることによって、ＬＥＤチップ１４１の指向性を強くすることができ、角度を１２０°より小さくすることができる。
【００８４】
（砲弾型ＬＥＤ）
まず、図３を参照して、ＬＥＤ１０４の種類の一例について説明する。図３は、いわゆる砲弾型と呼ばれるＬＥＤ（砲弾型ＬＥＤ）の構造の概略を示す図である。
【００８５】
図３に示すように、砲弾型ＬＥＤは、ＬＥＤチップ１４１、リードフレーム１４２、レンズ１４３、及び、封入樹脂１４４を備えている。
【００８６】
リードフレーム１４２は、内部配線として使われる導電性の薄板であり、外部配線との橋渡しの役割をもつ。レンズ１４３は、ＬＥＤチップ１４１の光を効率よく照射するために、光を集光する。また、封入樹脂１４４にはシリコン樹脂などが用いられ、蛍光体が分散されている。
【００８７】
また、ＬＥＤチップ１４１と、リードフレーム１４２とは、ワイヤ・ボンディングにより接続されている。
【００８８】
砲弾型ＬＥＤは、リードフレーム１４２と一体化して形成されカップ内にＬＥＤチップ１４１を実装して、カップ内に蛍光体を分散させた封入樹脂１４４を封入し、封入樹脂１４４の周囲を砲弾型にエポキシ樹脂などでモールドすることにより形成される。
【００８９】
砲弾型ＬＥＤは、上述の構造を有しているため、レンズで集光性を高くすることにより、指向性の強いＬＥＤとすることができる。
【００９０】
（表面実装型ＬＥＤ）
次に、図４を参照してＬＥＤ１０４の種類の他の一例について説明する。図４は、いわゆる表面実装型（ＳＭＤ）と呼ばれるＬＥＤ（表面実装型ＬＥＤ）の構造の概略を示す図である。
【００９１】
図４に示すように、表面実装型ＬＥＤは、ＬＥＤチップ１４１、封入樹脂１４４、電極１４５、パッケージ基板１４６、及び、反射板１４７を備えている。
【００９２】
電極１４５は予め基板に配線されており、基板と共にパッケージ基板１４６を構成する。反射板１４７は、ＬＥＤチップ１４１の光を効率よく照射する。
【００９３】
また、ＬＥＤチップ１４１と、パッケージ基板１４６に配線された電極１４５とは、ワイヤ・ボンディングにより接続されている。
【００９４】
表面実装型ＬＥＤは、セラミック及び樹脂などで形成されたキャビティの中にＬＥＤチップ１４１を実装し、ＬＥＤチップ１４１を実装したキャビティに蛍光体を分散させたエポキシ樹脂及びシリコン樹脂などの封入樹脂１４４を封入することにより形成される。なお、キャビティの内側の面は、反射板１４７の機能を有し、ＬＥＤチップ１４１から発せられる多くの光を反射させて取り出して照射することができる。
【００９５】
表面実装型ＬＥＤは、レンズで集光性を高くすることで指向性の高いＬＥＤとすることができるが、上述の構造を有しているため、砲弾型ＬＥＤよりも指向性を強めにくいという特性がある。
【００９６】
表面実装型ＬＥＤは、シーリングライトに使用されることが一般的であり、シーリングライトは、光が拡散されるように設計されている。
【００９７】
なお、本実施形態に係る照明装置１０には、より指向性の高い砲弾型ＬＥＤを用いることが好ましい。これは、砲弾型ＬＥＤの方が光が分散しないため、照明装置１０が有する複数のＬＥＤ１０４の一部のみを駆動させるエリア駆動を行う際に、照明装置１０の照射範囲を制御し易いためである。
【００９８】
〔照明装置におけるエリア駆動〕
次に、図５及び図６を参照して、本実施形態に係る照明制御システム１の動作について、照明装置１０が２つ備えられている場合を例に挙げて説明する。図５は、照明装置１０が２つ備えられている場合の、各照明装置１０の照射範囲を示す図である。図５（ａ）は、各照明装置１０の備えるＬＥＤ１０４が全て点灯している場合における各照明装置１０の照射範囲を示し、（ｂ）は、各照明装置１０の備えるＬＥＤ１０４をエリア駆動した場合における各照明装置１０の照射範囲を示している。
【００９９】
ＬＥＤ１０４を複数有する照明装置１０が２つ備えられている場合、図５（ａ）に示すように、重複して照射される範囲Ａ（重複領域）が存在する。つまり、２つの照明装置１０のそれぞれにおいて、範囲Ａを照射するための電力が無駄に消費されることになる。この無駄に消費される電力を削減するため、本実施形態に係る照明制御システム１は、照明装置１０の照度範囲を調整する照度範囲調整処理を実行する。
【０１００】
（照度範囲調整処理）
本実施形態に係る照明制御システム１の照度範囲調整処理について、図６を参照して説明する。図６は、本実施形態に係る照明制御システム１の照度範囲調整処理に関する動作の流れを示すフローチャートである。
【０１０１】
リモコン１１に設けられている、照明装置１０の照度範囲調整処理を実行するための調整ボタン（不図示）が押下されると、図５に示すように、照度範囲調整モードがＯＮとなる。照度範囲調整モードをＯＮにした後、リモコン１１を、照度を測定する箇所に設置する。ここでは、図５（ａ）に示すように、２つの照明装置１０から重複して照射される範囲Ａにリモコン１１が設置される場合を例に挙げて説明する。
【０１０２】
なお、リモコン１１の照度範囲調整モードのＯＮ、及び、設置は、例えば、リモコン１１のユーザによって行われればよい。照度範囲調整モードがＯＮになることにより、照明装置１０の照度範囲を調整する照度範囲調整処理が開始される。
【０１０３】
照度範囲調整モードがＯＮになると、まず、照度を測定する箇所に設置されたリモコン１１は、照度計測部１１３において照度の計測を開始する（ステップＳ１０１）。照度計測部１１３は、照度の測定値を、制御部１１２に通知する。
【０１０４】
測定値が照度計測部１１３から制御部１１２に通知されると、制御部１１２は、測定値と所定の閾値とを比較する（ステップＳ１０２）。なお、所定の閾値は、例えば、メモリ１１４に格納されていればよく、測定値との比較に際し、制御部１１２によって適宜読み出される。
【０１０５】
測定値と閾値とが同じでない場合（ステップＳ１０２においてＮＯ）、制御部１１２は、測定値と閾値との差に応じて、照明装置１０におけるメモリ１１４に格納されているＬＥＤ１０４のエリア駆動パターンを読み出す（ステップＳ１０４）。なお、エリア駆動パターンについては後述する。
【０１０６】
リモコン１１は、制御部１１２によって、メモリ１１４からエリア駆動パターンが読み出されると、読み出されたエリア駆動パターンを、無線通信部１１１を介して、各照明装置１０に送信される（ステップＳ１０４）。
【０１０７】
リモコン１１から、無線通信部１０１を介してエリア駆動パターンが入力されると、各照明装置１０が備える主制御部１０２は、入力されたエリア駆動パターンをＬＥＤ制御部１０３に通知する。ＬＥＤ制御部１０３は、主制御部１０２からの通知に基づき、ＬＥＤ１０４をエリア駆動する（ステップＳ１０５）。
【０１０８】
ＬＥＤ１０４のエリア駆動が行われると、リモコン１１は、再び照度の計測を行う（ステップＳ１０１）。
【０１０９】
また、測定値と閾値とが同じである場合（ステップＳ１０２においてＹＥＳ）、リモコン１１が備える制御部１１２は、照度範囲調整処理を終了する。
【０１１０】
すなわち、照度範囲調整処理では、測定値と閾値とが同じ値になるまで、照明装置１０及びリモコン１１においてステップＳ１０１〜Ｓ１０５までの動作が繰り返されることになる。
【０１１１】
上述のように照度範囲調整処理が実行されると、エリア駆動により、各照明装置１０が備えるＬＥＤ１０４は、図５（ｂ）に示すように、点灯する（駆動する）ＬＥＤ１０４と、消灯する（駆動しない）ＬＥＤ１０４’とに分けられる。これにより、図５（ｂ）に示すように、各照明装置１０から重複して照射される範囲を縮小することができる。
【０１１２】
したがって、２つの照明装置１０から重複して照射される範囲Ａの照度を適正な照度に調整することができ、これにより、２つの照明装置１０のそれぞれにおける無駄な消費電力を削減することができる。
【０１１３】
（エリア駆動パターン）
ここで、エリア駆動パターンの一例について説明する。
【０１１４】
エリア駆動パターンとしては、例えば、図５（ｂ）に示すように、重複して照射される範囲に最も近い列に配置されているＬＥＤ１０４を１列全て消灯するパターン、最も近い列に配置されているＬＥＤ１０４を２列全て消灯するパターンなどを挙げることができる。
【０１１５】
また、重複して照射される範囲に最も近い列に配置されているＬＥＤ１０４を、１つおきに消灯するパターン、２つおきに消灯するパターンなどを採用してもよい。さらに、重複して照射される範囲に最も近い２列に配置されているＬＥＤ１０４を、市松模様状に消灯するパターンを採用することもできる。
【０１１６】
つまり、エリア駆動パターンは、照度計測部１１３によって計測される照度が所定の閾値より大きいときに、範囲Ａ（重複領域）の照度を低下させるものであればよい。
【０１１７】
なお、重複して照射される範囲に最も近い列が、照明装置１０の何れの列であるかを判定する方法として、例えば、次に挙げる方法を採用することができる。例えば、照明装置１０の側面のうちの１つの面に、他の照明装置１０と向かい合わせることを推奨するマーク（不図示）を記し、当該マークが記されている面に最も近い列を、重複して照射される範囲に最も近い列として判定する方法として挙げることができる。この場合には、照明装置１０を取り付ける際に、ユーザが２つの照明装置１０のそれぞれをマークが向かい合うように取り付けることがより好ましい。
【０１１８】
もちろん、判定方法はこれに限定されるものではなく、例えば、照明装置１０に光センサ（不図示）を設け、当該光センサによって他の照明装置１０が設けられている方向を特定する構成を採用してもよい。この場合には、照明装置１０に設けられているＬＥＤ１０４のうち、光センサによって特定された他の照明装置１０が配置されている方の面に最も近い列を、重複して照射される範囲に最も近い列として判定することができる。
【０１１９】
〔照度のシミュレーション〕
次に、本実施形態における照度範囲調整処理を実行し、エリア駆動を行った場合の照明装置１０周辺の照度のシミュレーションについて、図７から図９を参照して説明する。図７は、１つの部屋に２つの照明装置１０（ここでは、照明装置１０ａ及び照明装置１０ｂ）が備えられている場合の、照明装置１０ａ、１０ｂのそれぞれのＬＥＤ１０４の駆動状態を示す図である。図７（ａ）は、シミュレーションを行う前のＬＥＤ１０４の駆動状態を示し、（ｂ）は、シミュレーションを行った後のＬＥＤ１０４の駆動状態を示している。
【０１２０】
また、図８に、シミュレーションの条件、及び、結果を示す。図８は、本実施形態に係る照明装置１０周辺の照度のシミュレーションを行う条件、及び、結果を示す図である。図８（ａ）は、シミュレーションの条件を示し、（ｂ）は、照度範囲調整処理を実行しない場合のシミュレーションの結果を示し、（ｃ）は、照度範囲調整処理を実行した場合のシミュレーションの結果を示している。
【０１２１】
さらに、図９に、シミュレーションによって得えられた部屋の照度分布を示す。図９（ａ）は、照度範囲調整処理を実行しない場合のシミュレーションによって得られた部屋の照度分布を示し、（ｂ）は、照度範囲調整処理を実行した場合のシミュレーションによって得られた部屋の照度分布を示している。
【０１２２】
図７に示すように、シミュレーションを行う条件として、部屋の大きさを、縦３ｍ、横７ｍとし、照明装置１０ａ、１０ｂのそれぞれには７２個のＬＥＤ１０４が備えられているとした。また、図８（ａ）に示すように、シミュレーションの条件として、全光束を１５０ｌｍ、取付高さを２．５ｍとした。
【０１２３】
照度範囲調整処理を実行しない場合（すなわち、エリア駆動しない場合）のシミュレーションでは、図８（ｂ）に示すように、ＬＥＤ１０４の点灯個数が１４４個、部屋の平均照度が１４１ｌｘ、最小照度が３７ｌｘ、最大照度が２５９ｌｘとなった。
【０１２４】
なお、ＬＥＤ１０４の点灯個数が１４４個とは、図７（ａ）に示すように、２つの照明装置１０ａ及び１０ｂに備えられている全てのＬＥＤ１０４が点灯したことを示している。
【０１２５】
また、照度範囲調整処理を実行しない場合のシミュレーションによって得られた部屋の照度分布は、図９（ａ）に示すように、照明装置１０ａ及び１０ｂの周辺、並びに、照明装置１０ａと１０ｂとの間では２００ｌｘとなり、必要以上に高い照度となっていた。
【０１２６】
一方、照度範囲調整処理を実行した場合のシミュレーションでは、図８（ｃ）に示すように、ＬＥＤ１０４の点灯個数が９０個、部屋の平均照度が８７．２ｌｘ、最小照度が２５．７ｌｘ、最大照度が１６２．９ｌｘとなった。
【０１２７】
なお、ＬＥＤ１０４の点灯個数が９０個とは、図７（ｂ）に示すように、照明装置１０ａ及び１０ｂの各々において、照明装置１０ｂ又は１０ａと向かい合った辺に設けられている２７個のＬＥＤ１０４以外の４５個のＬＥＤ１０４が点灯したことを示している。
【０１２８】
また、照度範囲調整処理を実行した場合のシミュレーションによって得られた部屋の照度分布は、図９（ｂ）に示すように、照明装置１０ａ及び１０ｂの周辺、並びに、照明装置１０ａと１０ｂとの間でも１００ｌｘとなり、必要以上に高い照度となるような範囲は存在しなかった。
【０１２９】
なお、本実施形態では、照明装置１０が２つ配置されている場合を例に挙げて説明したが、本発明はこれに限定されるものではなく、例えば、照明装置１０が３つ以上配置されていてもよい。
【０１３０】
例えば、照明装置１０が３つ配置されている場合、エリア駆動パターンは、３つの照明装置１０が重複して照射する範囲を照射するＬＥＤ１０４の点灯個数が最も少なくなり、次に、２つの照明装置１０が重複して照射する範囲を照射するＬＥＤ１０４の点灯個数が少なくなり、重複して照射されない範囲を照射するＬＥＤ１０４の点灯個数が最も多くなるようなパターンであればよい。
【０１３１】
上述の構成によれば、照明装置１０は、リモコン１１から送信される、リモコン１１の周辺の照度の値と所定の閾値とから導出されたエリア駆動パターンに従って、各ＬＥＤ１０４の点灯及び消灯を個別に制御する。これによって、照明装置１０は、リモコン１１の周囲の照度を適正な照度に調整することができる。したがって、照明制御システム１は、リモコン１１の周辺の照度が適正でないために照明装置１０において無駄に消費される電力を削減することができる。
【０１３２】
＜実施形態２＞
次に、本発明に係る照明制御システムの他の実施形態について、図１０から図１４を参照して説明する。但し、この実施形態に記載されている構成は、特に特定的な記載がない限り、この発明の範囲をそれのみに限定する趣旨ではなく、単なる説明例に過ぎない。
【０１３３】
〔照明制御システム〕
本実施形態に係る照明制御システムについて、図１０を参照して説明する。図１０は、本実施形態に係る照明制御システム２の概略を示すブロック図である。図１０に示すように、本実施形態に係る照明制御システム２は、照明装置２０、及び、照明装置２０を遠隔操作するリモコン（遠隔操作装置）２１を備えている。
【０１３４】
（リモコン）
リモコン２１は、図１０に示すように、無線通信部（送信手段）２１１、制御部（導出手段）２１２、距離入力部（距離入力手段）２１３、及び、メモリ２１４を備えている。
【０１３５】
距離入力部２１３は、照明装置２０と対象物との距離を示すユーザ入力（以降、単に距離値とも呼称する）を受け付ける手段である。ここで、対象物としては、当該照明装置２０以外の照明装置、及び、部屋の壁などを例に挙げることができる。なお、本実施形態では、対象物が当該照明装置２０以外の照明装置である場合を例に挙げて説明する。
【０１３６】
制御部２１２は、リモコン２１の備える各部の動作を制御する。また、制御部２１２は、距離入力部２１３から入力された距離値から、照明装置２０において参照されるエリア駆動パターンを導出する手段である。
【０１３７】
具体的には、制御部２１２は、入力された距離値に基づいて、照明装置２０のエリア駆動パターンをメモリ２１４から読み出す。制御部２１２は、メモリ２１４から読み出した照明装置２０のエリア駆動パターンを、無線通信部２１１を介して照明装置２０に送信する。
【０１３８】
メモリ２１４は、照明装置２０において参照される複数のエリア駆動パターンのそれぞれと距離値とが関連づけられている対応情報などを格納している。
【０１３９】
無線通信部２１１は、制御部２１２においてメモリ２１４から読み出されたエリア駆動パターンを示すエリア駆動パターン情報を、リモコン信号として照明装置２０に添付する。また、無線通信部２１１は、さらに、リモコン信号として、照明装置２０の点灯及び消灯を制御するオンオフ信号などを送信してもよい。
【０１４０】
（照明装置）
照明装置２０は、図１０に示すように、無線通信部２０１、主制御部（制御手段）２０２、ＬＥＤ制御部（制御手段）２０３、及び、複数のＬＥＤ（発光素子）２０４を備えている。
【０１４１】
無線通信部２０１は、リモコン２１から送信されるリモコン信号を受信する。具体的には、リモコン２１からリモコン信号として送信されるエリア駆動パターン、及び、オンオフ信号などを受信する。なお、無線通信部２０１、及び、無線通信部２１１における無線通信は、例えば、赤外線通信、Zigbee、Z-Wave、Bluetooth（登録商標）などによって実現することができる。
【０１４２】
主制御部２０２は、照明装置２０の備える各部の動作を制御する。また、主制御部２０２は、リモコン２１から送信されるエリア駆動パターンに従い、複数のＬＥＤ２０４の駆動パターンをＬＥＤ制御部２０３に通知する。
【０１４３】
ＬＥＤ制御部２０３は、主制御部２０２から通知されるエリア駆動パターンに従い、照明装置２０に備えられている各ＬＥＤ２０４の点灯及び消灯を個別に制御するエリア駆動制御を行う。主制御部２０２、及び、ＬＥＤ制御部２０３は、さらに、各ＬＥＤ２０４のそれぞれの明るさ等を個別に制御するよう動作してもよい。
【０１４４】
〔照明装置におけるエリア駆動〕
次に、本実施形態に係る照明制御システム２の動作について、照明装置２０が２つ備えられている場合を例に挙げて説明する。ＬＥＤ２０４を複数有する照明装置２０が２つ備えられている場合、１つの照明装置２０と、他の照明装置２０とが重複して照射する範囲（重複領域）が存在する場合がある。
【０１４５】
つまり、２つの照明装置２０のそれぞれが同じ範囲を照射することにより、電力が無駄に消費されることになる。この無駄に消費される電力を削減するため、本実施形態に係る照明制御システム２は、照明装置２０の照度範囲を調整する照度範囲調整処理を実行する。
【０１４６】
（照度範囲調整処理）
本実施形態に係る照明制御システム２の照度範囲調整処理について、図１１を参照して説明する。図１１は、本実施形態に係る照明制御システム２の照度範囲調整処理に関する動作の流れを示すフローチャートである。
【０１４７】
リモコン２１に距離入力部２１３を介して２つの照明装置２０間の距離値が入力されると、照明装置２０の照度範囲を調整する照度範囲調整処理が開始される。
【０１４８】
照度範囲調整処理が開始されると、リモコン２１は、制御部２１２において、入力された距離値に応じたエリア駆動パターンをメモリ２１４から読みだす（ステップＳ２０１）。なお、本実施形態におけるエリア駆動パターンについては、後述する。
【０１４９】
リモコン２１は、制御部２１２によって、メモリ２１４からエリア駆動パターンが読み出されると、読み出されたエリア駆動パターンを、無線通信部２１１を介して、各照明装置２０に送信される（ステップＳ２０２）。
【０１５０】
リモコン２１から、無線通信部２０１を介してエリア駆動パターンが入力されると、各照明装置２０が備える主制御部２０２は、入力されたエリア駆動パターンをＬＥＤ制御部２０３に通知する。ＬＥＤ制御部２０３は、主制御部２０２からの通知に基づき、ＬＥＤ２０４をエリア駆動する（ステップＳ２０３）。
【０１５１】
上述のように照度範囲調整処理が実行されると、エリア駆動により、各照明装置２０が備えるＬＥＤ２０４は、点灯する（駆動する）ＬＥＤ２０４と、消灯する（駆動しない）ＬＥＤ２０４とに分けられる。これにより、各照明装置２０から重複して照射される範囲を縮小することができる。
【０１５２】
したがって、２つの照明装置２０から重複して照射される範囲の照度を適正な照度に調整することができ、これにより、２つの照明装置２０のそれぞれにおける無駄な消費電力を削減することができる。
【０１５３】
〔エリア駆動パターン〕
次に、本実施形態に係るリモコン２１が備えるメモリ２１４に格納されている、照明装置２０におけるＬＥＤ２０４のエリア駆動パターンについて、図１２及び図１３を参照して説明する。なお、本実施形態では、照明装置２０に、ＬＥＤ２０４が７２個備えられている場合を例に挙げて説明するが、本発明に係る照明装置が備えるＬＥＤの数は、もちろん、これに限定されるものではない。
【０１５４】
図１２は、２つの照明装置２０の中間の照度を５０ｌｘとした場合の、２つの照明装置２０間の距離と、各照明装置２０が備えるＬＥＤ２０４の点灯個数との関係の一例を示す図である。また、図１３は、２つの照明装置２０の中間の照度を５０ｌｘとした場合の、２つの照明装置２０間の距離に対する、各照明装置２０が備えるＬＥＤ２０４の点灯個数の関係の一例を示すグラフである。
【０１５５】
図１２及び図１３に示すように、２つの照明装置２０間の距離が５ｍである場合には、各照明装置２０において、７２個のＬＥＤ２０４がそれぞれ全て点灯すればよい。また、２つの照明装置２０間の距離が４ｍである場合には、各照明装置２０において、７２個のＬＥＤ２０４のうち、６９個が点灯すればよい。さらに、２つの照明装置２０間の距離が１ｍである場合には、各照明装置２０において、７２個のＬＥＤ２０４のうち、１５個が点灯すればよい。
【０１５６】
また、エリア駆動パターンは、上述した２つの照明装置２０間の距離と、各照明装置２０が備えるＬＥＤ２０４の点灯個数との関係に基づいて設定されていればよい。
【０１５７】
エリア駆動パターンとしては、例えば、２つの照明装置２０間の距離（距離入力部２０３から入力される距離値）が４ｍである場合に、２つの照明装置２０の中間に最も近い列に配置されているＬＥＤ２０４のうち、３個の２０４を消灯するパターン、入力される距離値が１ｍである場合に、２つの照明装置２０の中間に最も近い列に配置されているＬＥＤ２０４から順に、５７個の２０４を消灯するパターンなどを挙げることができる。
【０１５８】
また、１列中のＬＥＤ２０４を１つ置きに消灯するパターン、２つ置きに消灯するパターン、複数列中のＬＥＤ２０４を市松模様状に消灯するパターンなどを採用することもできる。
【０１５９】
なお、２つの照明装置２０の中間に最も近い列が、照明装置２０の何れの列であるかを判定する方法として、例えば、次に挙げる方法を採用することができる。例えば、照明装置２０の側面のうちの１つの面に、他の照明装置２０と向かい合わせることを推奨するマーク（不図示）を記し、当該マークが記されている面に最も近い列を、２つの照明装置２０の中間に最も近い列として判定する方法として挙げることができる。この場合には、照明装置２０を取り付ける際に、ユーザが２つの照明装置２０のそれぞれをマークが向かい合うように取り付けることがより好ましい。
【０１６０】
もちろん、判定方法はこれに限定されるものではなく、例えば、照明装置２０に光センサ（不図示）を設け、当該光センサによって他の照明装置２０が設けられている方向を特定する構成を採用してもよい。この場合には、照明装置２０に設けられているＬＥＤ２０４のうち、光センサによって特定された他の照明装置２０が配置されている方の面に最も近い列を、２つの照明装置２０の中間に最も近い列として判定することができる。
【０１６１】
なお、本実施形態では、照明装置２０が２つ配置されている場合を例に挙げて説明したが、本発明はこれに限定されるものではなく、例えば、照明装置２０が３つ以上配置されていてもよい。
【０１６２】
例えば、照明装置２０が３つ配置されている場合、エリア駆動パターンは、３つの照明装置２０が重複して照射する範囲を照射するＬＥＤ２０４の点灯個数が最も少なくなり、次に、２つの照明装置２０が重複して照射する範囲を照射するＬＥＤ２０４の点灯個数が少なくなり、重複して照射されない範囲を照射するＬＥＤ２０４の点灯個数が最も多くなるようなパターンであればよい。
【０１６３】
＜変形例＞
なお、本実施形態では、対象物が照明装置２０である場合、すなわち、照明装置２０が２つ備えられている場合を例に挙げて説明したが、本発明は、対象物が照明装置２０でない場合にも適用することができる。対象物が、あまり照度を必要としない、例えば、壁などであってもよい。
【０１６４】
本変形例では、照射不要体が壁である場合のエリア駆動パターンを例に挙げて説明する。
【０１６５】
エリア駆動パターンは、例えば、照明装置２０と壁との距離が近くなるほど、照明装置２０の壁に近い側に配置されているＬＥＤ２０４から点灯個数を減らすようにすればよい。また、照明装置２０と壁との距離が遠くなるほど、照明装置２０の壁に近い側と反対側に配置されているＬＥＤ２０４から消灯個数を減らすようにすればよい。
【０１６６】
もちろん、本変形例では、上述したエリア駆動パターンは、対象物が他の照明装置２０である場合と同じであってもよいが、異なっていてもよい。
【０１６７】
さらに、エリア駆動パターンは、壁の材質及び色によって異なっていてもよい。これは、壁の材質及び色などによって光の反射率が異なることにより、同じ照度を得るために必要なＬＥＤ２０４の点灯個数が異なるためである。以下では、壁の材質と反射率との関係について説明する。
【０１６８】
（壁の材質と反射率）
ここで、壁の材質と反射率との関係について、図１４を参照して説明する。図１４は、壁に用いられる材質又は色（図１４においては、内装材）と、反射率との関係を示す図である。
【０１６９】
図１４に示すように、比較的高い反射率を有している壁の材質は、白漆喰、白壁、及び、木材（白木）などである。具体的には、壁が白漆喰である場合の反射率は６０％〜８０％であり、白壁である場合の反射率は５５％〜７５％であり、また、壁が木材（白木）である場合の反射率は４０％〜６０％である。
【０１７０】
一方、図１４に示すように、比較的低い反射率を有している壁の材質は、壁が濃い色の壁、及び、木材（ミディアムオーク）などである。具体的には、壁が濃い色の壁である場合の反射率は１０％〜３０％であり、木材（ミディアムオーク）である場合の反射率は１０％〜３０％である。
【０１７１】
（エリア駆動パターン）
エリア駆動パターンは、上述したように、照明装置２０と他の照明装置２０との中間の照度を適正な照度とする場合と、壁の照度を適切な照度とする場合とでは異なることが好ましい。また、上述したように壁の材質によって反射率が異なるため、エリア駆動パターンは、壁の材質によっても異なることが好ましい。
【０１７２】
例えば、壁が白漆喰などである場合には、反射率が高いため、照明装置２０と壁との距離が近いときには、照明装置２０の備えるＬＥＤ２０４のうち、点灯するＬＥＤ２０４の数を少なくすることができる。
【０１７３】
これに対し、壁が濃い色の壁である場合には、反射率が低いため、照明装置２０と壁との距離が近いときでも、照明装置２０の備えるＬＥＤ２０４のうち、点灯するＬＥＤ２０４の数を、壁が白漆喰である場合程少なくすることはできない。
【０１７４】
したがって、壁の照度を適切な照度とする場合のエリア駆動パターンは、壁と照明装置２０との距離が近くなるほど、及び、壁の反射率が高くなるほど、照明装置２０の壁に近い側に配置されているＬＥＤ２０４から点灯個数を減らすようにすればよい。また、壁と照明装置２０との距離が遠くなるほど、及び、壁の反射率が低くなるほど、照明装置２０の壁に近い側と反対側に配置されているＬＥＤ２０４から消灯個数を減らすようにすればよい。
【０１７５】
上述の構成によれば、照明装置２０は、リモコン２１から送信される、照明装置２０と対象物との距離から導出されたエリア駆動パターンに従って、各ＬＥＤ２０４の点灯及び消灯を個別に制御する。これによって、照明装置２０は、照明装置２０と対象物との間の照度、及び、対象物の照度の少なくとも何れかを適正に調整することができる。したがって、照明制御システム２は、照度が適正でないために照明装置２０において無駄に消費される電力を削減することができる。
【０１７６】
＜実施形態３＞
次に、本発明に係る照明制御システムの他の実施形態について、図１５を参照して説明する。但し、この実施形態に記載されている構成は、特に特定的な記載がない限り、この発明の範囲をそれのみに限定する趣旨ではなく、単なる説明例に過ぎない。
【０１７７】
〔照明制御システム〕
本実施形態に係る照明制御システムについて、図１５を参照して説明する。図１５は、本実施形態に係る照明制御システム３の概略を示すブロック図である。図１５に示すように、本実施形態に係る照明制御システム３は、照明装置３０、及び、照明装置３０を遠隔操作するリモコン３１を備えている。
【０１７８】
（照明装置）
照明装置３０は、図１５に示すように、無線通信部３０１、主制御部（制御手段）３０２、ＬＥＤ制御部（制御手段）３０３、複数のＬＥＤ（発光素子）３０４、距離測定部（距離測定手段）３０５、及び、メモリ３０６を備えている。
【０１７９】
無線通信部３０１は、リモコン３１から送信されるリモコン信号を受信する。具体的には、リモコンから送信される、照明装置３０の点灯及び消灯を制御するオンオフ信号などを受信する。なお、無線通信部３０１、及び、リモコン３１の備える無線通信部（不図示）における無線通信は、例えば、赤外線通信、Zigbee、Z-Wave、Bluetooth（登録商標）などによって実現することができるが、これに限定されるものではない。
【０１８０】
距離測定部３０５は、照明装置３０から、対象物までの距離を測定する手段である。距離測定部３０５は、測定した距離の値（以降、単に測定距離値とも呼称する）を、主制御部３０２に通知する。
【０１８１】
なお、距離測定部３０５として、レーザーを利用して距離を測定するレーザー距離センサ、超音波を利用して距離を測定する超音波距離センサ、及び、赤外線を利用して距離を測定する赤外線距離センサなどを用いて実現すればよいが、これに限定されるものではない。
【０１８２】
ここで、対象物としては、当該照明装置３０以外の照明装置、及び、部屋の壁などを例に挙げることができる。なお、本実施形態では、対象物が当該照明装置３０以外の照明装置３０である場合を例に挙げて説明する。
【０１８３】
主制御部３０２は、照明装置３０の備える各部の動作を制御する。また、主制御部３０２は、距離測定部３０５によって測定された測定距離値から、エリア駆動パターンをメモリ３０６から読み出し、ＬＥＤ制御部３０３に通知する。
【０１８４】
ＬＥＤ制御部３０３は、主制御部３０２から通知されるエリア駆動パターンに従い、照明装置３０に備えられている各ＬＥＤ３０４の点灯及び消灯を個別に制御するエリア駆動制御を行う。主制御部３０２、及び、ＬＥＤ制御部３０３は、さらに、各ＬＥＤ３０４のそれぞれの明るさ等を個別に制御するよう動作してもよい。
【０１８５】
メモリ３０６は、主制御部３０２及びＬＥＤ制御部３０３において参照される複数のエリア駆動パターンのそれぞれと、測定距離値とが関連づけられている対応情報などを格納している。
【０１８６】
〔照明装置におけるエリア駆動〕
次に、本実施形態に係る照明制御システム３の動作について、照明装置３０が２つ備えられている場合を例に挙げて説明する。ＬＥＤ３０４を複数有する照明装置３０が２つ備えられている場合、重複して照射される範囲が存在する。つまり、２つの照明装置３０のそれぞれにおいて、範囲Ａを照射するための電力が無駄に消費されることになる。この無駄に消費される電力を削減するため、本実施形態に係る照明制御システム３は、照明装置３０の照度範囲を調整する照度範囲調整処理を実行する。
【０１８７】
（照度範囲調整処理）
本実施形態に係る照明制御システム３の照度範囲調整処理について、図１６を参照して説明する。図１６は、本実施形態に係る照明制御システム３の照度範囲調整処理に関する動作の流れを示すフローチャートである。
【０１８８】
まず、照度範囲調整処理が開始されると、照明装置３０は、距離測定部３０５において当該照明装置３０から他の照明装置３０までの距離を測定する（ステップＳ３０１）。なお、照度範囲調整処理は、例えば、リモコン３１が備える照度範囲調整処理の開始を指示するボタン（不図示）が押下された旨を示すリモコン信号を無線通信部３０１を介して受信した場合に開始されればよい。
【０１８９】
距離測定部３０５は、測定距離値を主制御部３０２に通知する。主制御部３０２は、距離測定部３０５から測定距離値を取得すると、測定距離値に応じたエリア駆動パターンをメモリ３０６から読み出す（ステップＳ３０２）。
【０１９０】
主制御部３０２は、読み出したエリア駆動パターンをＬＥＤ制御部３０３に通知する。ＬＥＤ制御部３０３は、主制御部３０２からの通知に基づき、ＬＥＤ３０４をエリア駆動する（ステップＳ３０３）。
【０１９１】
上述のように照度範囲調整処理が実行されると、エリア駆動により、各照明装置３０が備えるＬＥＤ３０４は、点灯する（駆動する）ＬＥＤ３０４と、消灯する（駆動しない）ＬＥＤ３０４とに分けられる。これにより、各照明装置３０から重複して照射される範囲を縮小することができる。
【０１９２】
したがって、各照明装置３０から重複して照射される範囲の照度を適正な照度に調整することができ、これにより、各照明装置３０のそれぞれにおける無駄な消費電力を削減することができる。
【０１９３】
（エリア駆動パターン）
なお、本実施形態に係る照明装置３０の備えるメモリ３０６に格納されている、ＬＥＤ３０４のエリア駆動パターンは、実施形態２におけるエリア駆動パターンと同じであるため、ここでは説明を省略する。
【０１９４】
なお、本実施形態では、照明装置３０が２つ配置されている場合を例に挙げて説明したが、本発明はこれに限定されるものではなく、例えば、照明装置３０が３つ以上配置されていてもよい。
【０１９５】
例えば、照明装置３０が３つ配置されている場合、エリア駆動パターンは、３つの照明装置３０が重複して照射する範囲を照射するＬＥＤ３０４の点灯個数が最も少なくなり、次に、２つの照明装置３０が重複して照射する範囲を照射するＬＥＤ３０４の点灯個数が少なくなり、重複して照射されない範囲を照射するＬＥＤ３０４の点灯個数が最も多くなるようなパターンであればよい。
【０１９６】
＜変形例＞
なお、本実施形態では、対象物が照明装置３０である場合、すなわち、照明装置３０が２つ備えられている場合を例に挙げて説明したが、本発明は、対象物が照明装置３０でない場合にも適用することができる。対象物が、あまり照度を必要としない、例えば、壁などであってもよい。
【０１９７】
また、上述したエリア駆動パターンは、対象物が壁である場合には、対象物が他の照明装置３０である場合と同じであってもよいが、異なっていてもよい。さらに、エリア駆動パターンは、壁の材質及び色によって異なっていてもよい。これは、壁の材質及び色などによって光の反射率が異なることにより、同じ照度を得るために必要なＬＥＤ３０４の点灯個数が異なるためである。
【０１９８】
なお、本実施形態の変形例におけるエリア駆動パターンは、実施形態２の変形例におけるエリア駆動パターンと同じであるため、ここでは説明を省略する。
【０１９９】
上述の構成によれば、照明装置３０は、距離測定部３０５にて測定した照明装置３０から対象物までの距離から導出されたエリア駆動パターンに従って、各ＬＥＤ３０４の点灯及び消灯を個別に制御する。これによって、照明装置３０は、照明装置３０と対象物との間の照度、及び、対象物の照度の少なくとも何れかを適正に調整することができる。したがって、照明装置３９は、照度が適正でないために照明装置３０において無駄に消費される電力を削減することができる。
【０２００】
＜実施形態４＞
次に、本発明に係る照明制御システムの他の実施形態について、図１７を参照して説明する。但し、この実施形態に記載されている構成は、特に特定的な記載がない限り、この発明の範囲をそれのみに限定する趣旨ではなく、単なる説明例に過ぎない。
【０２０１】
〔照明制御システム〕
本実施形態に係る照明制御システムについて、図１７を参照して説明する。図１７は、本実施形態に係る照明制御システム４の概略を示すブロック図である。図１７に示すように、本実施形態に係る照明制御システム４は、照明装置４０、及び、照明装置４０を遠隔操作するホームネットワーク（遠隔操作装置）４１を備えている。また、ホームネットワーク４１は、インターネット（ネットワーク）４３を介してサーバ（導出手段）４２に接続されている。
【０２０２】
（ホームネットワーク、サーバ）
ホームネットワーク４１は、図１７に示すように、ゲートウェイ４１１、ブロードバンドルータ４１２、及び、ユーザ端末（取得手段、導出手段、情報端末）４１３を備えている。
【０２０３】
ゲートウェイ４１１は、コンピュータネットワークにおいて、プロトコルの異なるネットワーク間を接続するためのネットワークノードである。
【０２０４】
ブロードバンドルータ４１２は、コンピュータネットワークにおいて、２つ以上の異なるネットワーク間を相互接続する。
【０２０５】
ユーザ端末４１３は、照明装置４０の配置を示す配置情報、及び、部屋の間取りを示す間取り情報などのユーザ入力を受け付ける手段である。また、ユーザ端末４１３は、表示部（不図示）を備えており、後述する照度測定位置などをユーザに提示する。
【０２０６】
なお、ユーザ端末４１３としては、例えば、リモコン、携帯電話、スマートフォン、テレビジョン受像機、及び、パーソナルコンピュータなどを挙げることができるが、本発明はこれに限定されるものではない。例えば、ユーザ端末４１３は、ＰＤＡ（携帯型情報端末）などであってもよい。
【０２０７】
本実施形態では、ユーザ端末４１３がリモコンであって、照度センサを備えている場合を例に挙げて説明するが、本発明はこれに限定されるものではない。例えば、ユーザ端末４１３がスマートフォンであって、照度センサを備えていない場合には、ユーザ端末４１３は、さらに、スマートフォンと無線通信（又は有線通信）可能であり、照度センサを備えた照度センサユニット（不図示）を有していればよい。
【０２０８】
また、ホームネットワーク４１の有するブロードバンドルータ４１２は、インターネット４３を介して、サーバ４２に接続されている。サーバ４２には、データベース４２１が備えられており、データベース４２１には、エリア駆動パターンが複数格納されている。
【０２０９】
（照明装置）
照明装置４０は、図１７に示すように、無線通信部４０１、主制御部（制御手段）４０２、ＬＥＤ制御部（制御手段）４０３、及び、複数のＬＥＤ（発光素子）４０４を備えている。
【０２１０】
無線通信部４０１は、ホームネットワーク４１から送信される無線信号を受信する。具体的には、ホームネットワーク４１から無線信号として送信されるエリア駆動パターン、及び、オンオフ信号などを受信する。なお、無線通信部４０１、及び、ゲートウェイ４１１における無線通信は、例えば、赤外線通信、Zigbee、Z-Wave、Bluetooth（登録商標）などによって実現することができる。
【０２１１】
主制御部４０２は、照明装置４０の備える各部の動作を制御する。また、主制御部４０２は、ホームネットワーク４１から送信されるエリア駆動パターンに従い、複数のＬＥＤ４０４のエリア駆動パターンをＬＥＤ制御部４０３に通知する。
【０２１２】
ＬＥＤ制御部４０３は、主制御部４０２から通知されるエリア駆動パターンに従い、照明装置４０に備えられている各ＬＥＤ４０４の点灯及び消灯を個別に制御するエリア駆動制御を行う。主制御部４０２、及び、ＬＥＤ制御部４０３は、さらに、各ＬＥＤ４０４のそれぞれの明るさ等を個別に制御するよう動作してもよい。
【０２１３】
〔エリア駆動〕
次に、本実施形態に係る照明制御システム４の動作について、１つの部屋に照明装置４０が２つ備えられている場合を例に挙げて説明する。１つの部屋にＬＥＤ４０４を複数有する照明装置４０が２つ備えられている場合、部屋の中に２つの照明装置４０から重複して照射される範囲が存在する。つまり、２つの照明装置４０のそれぞれにおいて、重複する範囲を照射するための電力が無駄に消費されることになる。この無駄に消費される電力を削減するため、本実施形態に係る照明制御システム４は、照明装置４０の照度範囲を調整する照度範囲調整処理を実行する。
【０２１４】
（照度範囲調整処理）
本実施形態に係る照明制御システム４の照度範囲調整処理について、図１８を参照して説明する。図１８は、本実施形態に係る照明制御システム４の照度範囲調整処理に関する動作の流れを示すフローチャートである。
【０２１５】
まず、部屋に配置された２つの照明装置４０のそれぞれの配置位置を、ユーザ端末４１３を介して入力する（ステップＳ４０１）。このとき、部屋の間取りなども併せて入力する構成としてもよいし、また、部屋の間取りなどは予め設定してサーバ４２の備えるデータベース４２１に格納しておき、照明装置４０の配置位置を入力する際にデータベース４２１から読み出す構成としてもよい。
【０２１６】
２つの照明装置４０の配置位置が入力されると、ユーザ端末４１３は、部屋のどの位置で照度を測定すべきかを示すプロットを、表示部に表示することによってユーザに提示する（ステップＳ４０２）。ユーザは、ユーザ端末４１３に提示されたプロットに従い、照度センサを有するユーザ端末４１３を、照度を測定すべき位置（以降、照度測定位置とも呼称する）に配置する。
【０２１７】
なお、ユーザ端末４１３に提示される照度測定位置のプロットは、例えば、２つの照明装置４０から重複して照射される範囲であると、２つの照明装置４０の配置位置に基づいてサーバ４２が判定した位置である。
【０２１８】
照度測定位置に配置されると、ユーザ端末４１３は、ユーザ端末４１３の周辺の照度、すなわち、照度測定位置周辺の照度を測定する（ステップＳ４０３）。
【０２１９】
ユーザ端末４１３は、照度測定位置周辺の照度を測定すると、全ての照度測定位置における照度を測定したか否かを判定する（ステップＳ４０４）。なお、判定方法としては、照度測定位置を示すプロットの数と照度測定の回数とを比較する構成、及び、何れの照度測定位置の照度を測定したかを記憶する構成などを挙げることができるが、これに限定されるものではない。
【０２２０】
ユーザ端末４１３は、全ての照度測定位置における照度を測定していないと判定すると（ステップＳ４０４においてＮＯ）、まだ測定されていない照度測定位置を示すプロットを、表示部に表示することによってユーザに再び提示する。ユーザは、ユーザ端末４１３に提示されたプロットに従ってユーザ端末４１３を照度測定位置に配置し、ユーザ端末４１３は、照度測定位置周辺の照度を測定する。すなわち、照明制御システム４は、ステップＳ４０４においてＹＥＳと判定されるまで、ステップＳ４０２〜Ｓ４０４までの動作を繰り替えすことになる。
【０２２１】
ユーザ端末４１３は、全ての照度測定位置における照度を測定したと判定すると（ステップＳ４０４においてＹＥＳ）、測定結果に応じて、エリア駆動パターンをサーバ４２の備えるデータベース４２１から読み出す（ステップＳ４０５）。
【０２２２】
エリア駆動パターンを読み出すと、ユーザ端末４１３は、ゲートウェイ４１１を介して読み出したエリア駆動パターンを照明装置４０に送信する。照明装置４０の備える主制御部４０２は、無線通信部４０１を介してエリア駆動パターンを受信すると、ＬＥＤ４０４のエリア駆動パターンをＬＥＤ制御部４０３に通知する。ＬＥＤ制御部４０３は、受信したエリア駆動パターンに従って複数のＬＥＤ４０４を駆動する（ステップＳ４０６）。
【０２２３】
上述のように照度範囲調整処理が実行されると、エリア駆動により、各照明装置４０が備えるＬＥＤ４０４は、点灯する（駆動する）ＬＥＤ４０４と、消灯する（駆動しない）ＬＥＤ４０４とに分けられる。これにより、各照明装置４０から重複して照射される範囲を縮小することができる。
【０２２４】
したがって、２つの照明装置４０から重複して照射される範囲の照度を適正な照度に調整することができ、これにより、２つの照明装置４０のそれぞれにおける無駄な消費電力を削減することができる。
【０２２５】
なお、本実施形態では、ホームネットワーク４１がインターネット４３を介してサーバ４２に接続されており、サーバ４２が備えるデータベース４２１にエリア駆動パターンが格納されている構成を例に挙げて説明したが、本発明はこれに限定されるものではない。
【０２２６】
例えば、ホームネットワーク４１はインターネット４３及びサーバ４２の何れにも接続されておらず、エリア駆動パターンがユーザ端末４１３に格納されている構成を採用してもよい。この場合には、エリア駆動パターンは、ユーザ端末４１３の有するメモリ（不図示）に格納されていればよい。
【０２２７】
〔エリア駆動パターンの導出〕
なお、本実施形態では、エリア駆動パターンをサーバ４２の備えるデータベース４２１から読み出す構成を例に挙げて説明したが、本発明に係る照明制御システム４は、これに限定されるものではない。例えば、部屋の間取り、及び、測定した照度などに基づき、サーバ４２においてエリア駆動パターン（点灯パターン）を導出する構成を採用してもよい。
【０２２８】
ここで、エリア駆動パターンを導出するための条件について以下に説明する。本実施形態に係る照明制御システム４におけるサーバ４２において、エリア駆動パターンを導出するために、ユーザは、ユーザ端末４１３を介して、例えば、次に示す情報を入力すればよい。
【０２２９】
ユーザは、照明装置４０に関する情報（すなわち、配置情報）として、例えば、照明装置４０の機種名、取付高さ、取付位置、及び、取付方向などを入力する。また、ユーザは、部屋の情報（すなわち、間取り情報）として、部屋の間口、奥行き、天井の高さ、天井の反射率、壁の反射率、及び、床の反射率などを入力する。さらに、ユーザは、所望の照度、及び、所望の照度としたい部屋の位置などを入力する。
【０２３０】
サーバ４２は、ユーザ端末４１３を介して入力された上記の情報に基づき、以下に説明するように、エリア駆動パターンを導出する。
【０２３１】
（照明装置真下の照度）
まず、エリア駆動パターンの導出に先立って、照明装置４０の真下の照度の導出方法について説明する。照明装置４０の真下の照度は、作業面から照明装置４０までの距離をＨ（ｍ）とすると、次式１によって表すことができる。
【０２３２】
照度＝（照明装置から真下１ｍの位置の照度）／Ｈ２    ・・・（１）
つまり、照度は、作業面から照明装置４０までの距離Ｈの２乗に反比例する。
【０２３３】
また、照明装置４０の真下の任意の距離の位置での照度を、図１９に示す直射水平面照度図の数値から、導出することができる。図１９は、本実施形態における照明装置４０の直射水平面照度を示す図である。
【０２３４】
図１９に示す直射水平面照度図において、縦軸は照明装置４０からの垂直距離、横軸は照明装置４０からの水平距離を示している。また、１／２照度角は、水平面に垂直に照明したときに、直下照度が１／２の照度になる位置の開き角度を表し、本実施形態では１／２照度角は４７°である。また、１／２ビーム角は、照明装置４０から照射される光の最大光度の１／２の光度方向と光軸との角度を表し、本実施形態では１／２ビーム角は６０°である。
【０２３５】
また、真下１ｍの照度は、照明装置４０を設置した当初の照度（いわゆる、初期照度）ではなく、常時維持しなければならない照度（いわゆる、定常照度又は平均照度）で計算する。平均照度をＥ（ｌｘ）とすると、平均照度Ｅは、ＬＥＤの個数をＮ（個）、光束をＦ（ｌｍ）、保守率をＭ、照明率をＵ、床面積をＡ（ｍ２）とすると、次式２によって表すことができる。
【０２３６】
Ｅ＝Ｎ・Ｆ・Ｍ・Ｕ／Ａ    ・・・（２）
なお、床面積Ａは、部屋の開口をＸ（ｍ）、及び、部屋の奥行きをＹ（ｍ）から、Ａ＝Ｘ×Ｙとして表すことができる。
【０２３７】
（照明率）
次に、上述した平均照度Ｅを導出するための照明率Ｕについて説明する。照明率は、天井、壁及び床の反射率と、後述する室指数とから求めることができるが、反射率及び室指数が同じであっても、照明装置４０の種類によって異なる。
【０２３８】
これは、照明装置４０が備える反射板（不図示）の形状、及び、カバー（不図示）によって照明装置４０から照射される光束が変わるからである。従って、照明率には、実測に基づいたデータが必要である。これに対し、照明装置を提供するメーカーは、照明装置毎に室指数と反射率とを組み合わせた照明率表を提供している。
【０２３９】
上述したように、照明率表を参照すれば、上述した計算方法で照度を求めることができる。
【０２４０】
（室指数）
次に、上述の照明率Ｕを導出するための室指数について説明する。室指数とは、部屋の形状を考慮して照度計算を行うための指数であり、照明率を求めるために利用される。
【０２４１】
室指数をＲとすると、室指数Ｒは、部屋の開口Ｘ（ｍ）、部屋の奥行きＹ（ｍ）、及び、作業面から照明装置４０までの距離Ｈ（ｍ）を用いて、壁面積に対する床面積（すなわち、天井面積）として、次式３で表すことができる。
【０２４２】
室指数Ｒ＝Ｘ・Ｙ／Ｈ（Ｘ＋Ｙ）    ・・・（３）
（反射率）
次に、上述の照明率Ｕを導出するための反射率について説明する。ここで、最終的に作業面を照射する光は、部屋の様々な面で反射した光が合成された光である（以降、合成光とも呼称する）。
【０２４３】
合成される反射光の一例として、（１）照明装置４０から作業面に直接到達する光、（２）天井で反射した光、（３）壁で反射した光、（４）床で反射した光、及び、（５）上記（２）〜（４）の光が天井、壁及び床の少なくとも何れかで複数回反射した光などを挙げることができる。
【０２４４】
このように、作業面を照射する光は合成光であるため、照明率は、光が反射する壁、床及び天井などの反射率を考慮する。ここで、壁、床及び天井などの反射率については、図２０を参照して説明する。図２０は、本実施形態において、壁、床及び天井などに用いられる材質と、材質の反射率との関係を示す図である。
【０２４５】
図２０に示すように、比較的高い反射率を有している壁、床及び天井などの材質は、ビニルクロス、白漆喰、及び、白壁などである。具体的には、ビニルクロスの反射率は８０％〜９０％程度であり、白漆喰の反射率は６０％〜８０％程度であり、白壁の反射率は５５％〜７５％程度である。
【０２４６】
一方、図１４に示すように、比較的低い反射率を有している壁、床及び天井の材質は、壁が濃い色の壁、木材（ミディアムオーク）、及び、コンクリートなどである。具体的には、壁が濃い色の壁の反射率は１０％〜３０％程度であり、木材（ミディアムオーク）の反射率は１０％〜３０％程度であり、コンクリートの反射率は２５％程度である。
【０２４７】
例えば、壁、床及び天井などの反射率が高い場合であって、照明装置４０と壁との距離が近いときには、照明装置４０の備えるＬＥＤ４０４のうち、点灯するＬＥＤ４０４の数を少なくすることができる。
【０２４８】
これに対し、壁、床及び天井の反射率が低い場合には、照明装置４０と壁との距離が近いときでも、照明装置４０の備えるＬＥＤ４０４のうち、点灯するＬＥＤ４０４の数を、反射率が高い場合程少なくすることはできない。
【０２４９】
（エリア駆動パターンの導出）
次に、サーバ４２おけるエリア駆動パターンの導出について説明する。エリア駆動パターンは、上述したエリア駆動パターンの条件（間取り情報、及び、配置情報）から導出することができる。
【０２５０】
まず、ユーザ端末４１３は、ユーザから２つの照明装置４０間の距離（すなわち、配置情報）の入力を受け付ける。ユーザ端末４１３は、入力された２つの照明装置４０間の距離の値を、インターネット４３を介してサーバ４２に送信する。
【０２５１】
サーバ４２は、ユーザ端末４１３から送信された配置情報に応じて、照明装置４０の備える複数のＬＥＤ４０４のうち、点灯させるＬＥＤ４０４の個数の候補を決定する。なお、２つの照明装置４０間の距離と、ＬＥＤ４０４の点灯個数の候補との関係は、図１２及び図１３に示す関係と同じであるため、ここでは説明を省略する。
【０２５２】
さらに、ユーザ端末４１３は、ユーザから間取り情報の入力を受け付け、入力された間取り情報をインターネット４３を介してサーバ４２に送信する。サーバ４２は、配置情報に応じて決定した点灯させるＬＥＤ４０４の個数の候補を基に、配置情報及び間取り情報に応じて、点灯させるＬＥＤ４０４の個数を決定する。
【０２５３】
例えば、配置情報が、２つの照明装置４０間の距離が５ｍであることを示す場合、サーバ４２は、まず、配置情報のみを参照し、各照明装置４０におけるＬＥＤ４０４の点灯個数の候補を、例えば図１２に示すように、７２個とすることを決定する。次に、サーバ４２は、間取り情報をさらに参照し、当該間取り情報の示す部屋の間取りに応じて、各照明装置４０におけるＬＥＤ４０４の点灯個数を決定する。例えば、間取り情報が、部屋の間取りが相対的に広いことを示す場合、サーバ４２は、各照明装置４０におけるＬＥＤ４０４の点灯個数を７２個に決定する。なお、各照明装置４０がＬＥＤ４０４を７３個以上備えている場合には、サーバ４２は、ＬＥＤ４０４の点灯個数を７３個以上とすることもできる。
【０２５４】
また、サーバ４２は、間取り情報が部屋の間取りが相対的に狭いことを示す場合、各照明装置４０におけるＬＥＤ４０４の点灯個数を７２個よりも少ない個数に決定する。これは、間取りが狭い場合には、間取りが広い場合と比較して弱い（照明装置４０から照射される光が少ない）光で、所望の照度を得ることができるためである。
【０２５５】
さらに、間取り情報が、部屋の反射率が相対的に高いことを示す場合、サーバ４２は、ＬＥＤ４０４の点灯個数を上述のように決定したＬＥＤ４０４の点灯個数よりも少ない個数に決定する。また、間取り情報が、部屋の反射率が相対的に低いことを示す場合には、サーバ４２は、ＬＥＤ４０４の点灯個数を上述のように決定したＬＥＤ４０４の点灯個数よりも多い個数に決定する。
【０２５６】
さらに、サーバ４２は、消灯することを決定したＬＥＤ４０４の消灯パターンとして、他の照明装置４０と向かい合う辺に近接して設けられているＬＥＤ４０４から順に消灯するパターン、１列中のＬＥＤ４０４を１つ置きに消灯するパターン、複数列中のＬＥＤ４０４を市松模様状に消灯するパターンなどを採用することができる。
【０２５７】
サーバ４２は、上述のようにして、間取り情報と配置情報とを参照して、エリア駆動パターンを導出する。これによって、各照明装置４０は、他の照明装置４０と重複して照射する範囲を照射するＬＥＤ４０４の点灯個数を調整することができる。
【０２５８】
なお、本実施形態では、２つの照明装置４０間の距離に応じてエリア駆動パターンを導出する構成を例に挙げて説明したが、本発明はこれに限定されるものではない。例えば、照明装置４０が３つ以上配置されていてもよいし、照明装置４０が１つだけ配置されていてもよい。また、照明装置４０と、壁などに代表される部屋の一部との距離に応じてエリア駆動パターンを導出してもよい。
【０２５９】
例えば、照明装置４０が３つ配置されている場合、エリア駆動パターンは、３つの照明装置４０が重複して照射する範囲を照射するＬＥＤ４０４の点灯個数が最も少なくなり、次に、２つの照明装置４０が重複して照射する範囲を照射するＬＥＤ４０４の点灯個数が少なくなり、重複して照射されない範囲を照射するＬＥＤ４０４の点灯個数が最も多くなるようなパターンであればよい。
【０２６０】
また、照明装置４０が１つだけ配置されている場合には、間取り情報が示す部屋の間取りから、エリア駆動パターンを導出すればよい。例えば、照明装置４０と壁との距離が近い場合には、壁を照射するＬＥＤ４０４の個数が少なくなるようなパターンであればよい。
【０２６１】
上述のように、照明装置４０は、間取り情報と配置情報とを参照して導出される点灯パターンに従って、各ＬＥＤ４０４の点灯及び消灯を個別に制御することにより、照明装置４０が照射する範囲の照度を適正な照度に調整する。
【０２６２】
例えば、照明装置４０が１つの部屋に２つ設けられている場合には、２つの照明装置４０の配置位置を示す配置情報と間取り情報とを参照することにより、２つの照明装置４０が重複して照射する領域（重複領域）の照度を適正な照度に調整することができる。また、照明装置４０が壁の傍に配置されている場合には、間取り情報と配置情報とを参照することにより、壁の照度を適正な照度に調整することができる。
【０２６３】
したがって、照明制御システム４は、照度が適正でないために照明装置４０において無駄に消費される電力を削減することができる。
【０２６４】
なお、本実施形態では、ホームネットワーク４１がインターネット４３を介してサーバ４２に接続されており、サーバ４２においてエリア駆動パターンが導出される構成を例に挙げて説明したが、本発明はこれに限定されるものではない。
【０２６５】
例えば、ホームネットワーク４１はインターネット４３及びサーバ４２の何れにも接続されておらず、ユーザ端末４１３においてエリア駆動パターンが導出される構成を採用してもよい。この場合には、ユーザ端末４１３は、間取り情報及びは位置情報などを取得する取得手段、及び、エリア駆動パターンを導出する導出手段が共に配置された情報端末として機能する。
【０２６６】
この構成によれば、エリア駆動パターンを導出する度にユーザ端末４１３をサーバ４２に接続する必要がないため、ユーザ端末４１３をサーバ４２に接続する環境が整っていない場合であっても、エリア駆動パターンを導出することができる。
【０２６７】
上述の構成によれば、照明装置４０は、間取り情報と配置情報とを参照して導出される（又は、データベース４２１に格納されている）エリア駆動パターンに従って、各ＬＥＤ４０４の点灯及び消灯を個別に制御することにより、照明装置４０が照射する範囲の照度を適正な照度に調整することができる。
【０２６８】
例えば、照明装置４０が１つの部屋に２つ設けられている場合には、２つの照明装置４０の配置を示す配置情報と上記間取り情報とを参照することにより、２つの照明装置４０が重複して照射する領域の照度を適正な照度に調整することができる。また、照明装置４０が壁の傍に配置されている場合には、間取り情報と配置情報とを参照することにより、壁の照度を適正な照度に調整することができる。
【０２６９】
したがって、照明制御システム４は、照度が適正でないために照明装置４０において無駄に消費される電力を削減することができる。
【０２７０】
本発明に係る照明制御システムは、以上のように、複数の発光素子を有する照明装置と、部屋の間取りを示す間取り情報と、当該部屋における１または複数の照明装置の配置を示す配置情報とを取得する取得手段と、上記取得手段によって取得された上記間取り情報と上記配置情報とを参照して、各照明装置の点灯パターンを導出する導出手段と、を備え、上記照明装置は、上記導出手段によって導出された点灯パターンに従って、各発光素子の点灯及び消灯を個別に制御する、ことを特徴としている。
【０２７１】
上記の構成によれば、上記照明装置は、上記間取り情報と上記配置情報とを参照して導出される点灯パターンに従って、各発光素子の点灯及び消灯を個別に制御することにより、当該照明装置が照射する範囲の照度を適正な照度に調整する。
【０２７２】
例えば、上記照明装置が１つの部屋に２つ設けられている場合には、２つの上記照明装置の配置位置を示す配置情報と上記間取り情報とを参照することにより、２つの上記照明装置が重複して照射する領域（重複領域）の照度を適正な照度に調整することができる。また、上記照明装置が壁の傍に配置されている場合には、上記間取り情報と上記配置情報とを参照することにより、壁の照度を適正な照度に調整することができる。
【０２７３】
したがって、上記照明制御システムは、照度が適正でないために上記照明装置において無駄に消費される電力を削減することができる。
【０２７４】
また、本発明に係る照明制御システムは、上記取得手段は、ユーザが操作する情報端末内に配置されており、上記取得手段と上記導出手段とはネットワークを介して接続されている、ことが好ましい。
【０２７５】
また、本発明に係る照明制御システムにおいて、上記取得手段及び上記導出手段は、ユーザが操作する情報端末内に配置されている、ことが好ましい。
【０２７６】
本発明に係る照明装置は、以上のように、複数の発光素子を有する照明装置であって、各発光素子の点灯及び消灯を個別に制御するための点灯パターン情報の示す点灯パターンに従って、各発光素子の点灯及び消灯を個別に制御する制御手段を備えている、ことを特徴としている。
【０２７７】
上記の構成によれば、上記照明装置は、点灯パターンに従って各発光素子の点灯及び消灯を個別に制御することによって、発光素子の点灯個数を適正に調整することができる。これによって、上記照明装置は、当該照明装置において適正な数よりも多い発光素子が発光しているために消費される無駄な電力を削減することができる。
【０２７８】
本発明に係る遠隔操作装置は、以上のように、複数の発光素子を有する照明装置を操作する遠隔操作装置であって、部屋の間取りを示す間取り情報と、当該部屋における１または複数の照明装置の配置を示す配置情報とを取得する取得手段と、上記取得手段によって取得された上記間取り情報と上記配置情報とを参照して、各照明装置の点灯パターンを導出する導出手段と、を備えている、ことを特徴としている。
【０２７９】
上記の構成によれば、上記遠隔操作装置は、上記導出手段において、上記取得手段によって取得された上記間取り情報及び上記は位置情報を参照して、各発光素子の点灯及び消灯を個別に制御するための点灯パターンを導出し、上記照明装置に送信する。これによって、上記遠隔操作装置は、上記照明装置に、上記点灯パターンに従って照度を適正な照度に調整させることができる。したがって、上記遠隔操作装置は、上記照明装置に、照度が適正でないために上記照明装置において無駄に消費される電力を削減させることができる。
【０２８０】
本発明に係る制御方法は、以上のように、複数の発光素子を有する照明装置を制御する制御方法であって、部屋の間取りを示す間取り情報と、当該部屋における１または複数の照明装置の配置を示す配置情報とを取得する取得ステップと、上記取得ステップにおいて取得された上記間取り情報と上記配置情報とを参照して、各照明装置の点灯パターンを導出する導出ステップと、上記導出ステップにおいて導出された点灯パターンに従って、各発光素子の点灯及び消灯を個別に制御する制御ステップと、を含んでいる、ことを特徴としている。
【０２８１】
上記の構成によれば、上記照明装置は、上記間取り情報と上記配置情報とを参照して導出される点灯パターンに従って、各発光素子の点灯及び消灯を個別に制御することにより、当該照明装置が照射する範囲の照度を適正な照度に調整する。
【０２８２】
例えば、上記照明装置が１つの部屋に２つ設けられている場合には、２つの上記照明装置の配置位置を示す配置情報と上記間取り情報とを参照することにより、重複領域の照度を適正な照度に調整することができる。また、上記照明装置が壁の傍に配置されている場合には、上記間取り情報と上記配置情報とを参照することにより、壁の照度を適正な照度に調整することができる。
【０２８３】
したがって、照度が適正でないために上記照明装置において無駄に消費される電力を削減することができる。
【０２８４】
〔プログラム、記憶媒体〕
照明装置１０及びリモコン１１の各ブロックは、集積回路（ＩＣチップ）上に形成された論理回路によってハードウェア的に実現してもよいし、ＣＰＵ（Central Processing Unit）を用いてソフトウェア的に実現してもよい。
【０２８５】
後者の場合、照明装置１０及びリモコン１１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである照明装置１０及びリモコン１１の制御プログラムのプログラムコード（実行形式プログラム、中間コードプログラム、ソースプログラム）をコンピュータで読み取り可能に記録した記録媒体を、照明装置１０及びリモコン１１に供給し、そのコンピュータ（またはＣＰＵやＭＰＵ）が記録媒体に記録されているプログラムコードを読み出し実行することによっても、達成可能である。
【０２８６】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０２８７】
また、上記プログラムコードは、通信ネットワークを介して照明装置１０及びリモコン１１に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０２８８】
本発明は上述した実施形態および実施例に限定されるものではなく、請求項に示した範囲で種々の変更が可能であり、上記実施形態にそれぞれ開示された技術的手段を適宜組み合わせて得られる他の実施形態についても本発明の技術的範囲に含まれる。
【産業上の利用可能性】
【０２８９】
本発明は、照明装置一般に利用することができる。
【符号の説明】
【０２９０】
１、２、３、４                  照明制御システム
１０、２０、３０、４０          照明装置
１１、２１、３１                リモコン（遠隔操作端末）
４１                            ホームネットワーク（遠隔操作端末）
４２                            サーバ（導出手段）
４３                            インターネット（ネットワーク）
１０１、２０１、３０１、４０１  無線通信部
１０２、２０２、３０２、４０２  主制御部（制御手段）
１０３、２０３、３０３、４０３  ＬＥＤ制御部（制御手段）
１０４、２０４、３０４、４０４  ＬＥＤ（発光素子）
１１１、２１１                  無線通信部（送信手段）
１１２、２１２                  制御部（導出手段）
１１３                          照度計測部（照度測定手段）
１１４、２１４                  メモリ
２１３                          距離入力部（距離入力手段）
３０５                          距離測定部（距離測定手段）
３０６                          メモリ
４１１                          ゲートウェイ
４１２                          ブロードバンドルータ
４１３                          ユーザ端末（取得手段、導出手段、情報端末）
４２１                          データベース
【図１】
2013120696.tif 000003
【図２】
2013120696.tif 000004
【図３】
2013120696.tif 000005
【図４】
2013120696.tif 000006
【図５】
2013120696.tif 000007
【図６】
2013120696.tif 000008
【図７】
2013120696.tif 000009
【図８】
2013120696.tif 000010
【図９】
2013120696.tif 000011
【図１０】
2013120696.tif 000012
【図１１】
2013120696.tif 000013
【図１２】
2013120696.tif 000014
【図１３】
2013120696.tif 000015
【図１４】
2013120696.tif 000016
【図１５】
2013120696.tif 000017
【図１６】
2013120696.tif 000018
【図１７】
2013120696.tif 000019
【図１８】
2013120696.tif 000020
【図１９】
2013120696.tif 000021
【図２０】
2013120696.tif 000022
【図２１】
2013120696.tif 000023
【手続補正書】
【提出日】平成24年2月15日(2012.2.15)
【手続補正１】
【補正対象書類名】特許請求の範囲
【補正対象項目名】全文
【補正方法】変更
【補正の内容】
【特許請求の範囲】
【請求項１】
複数の発光素子を有する照明装置と、上記照明装置を操作する遠隔操作装置と、を備えた照明制御システムであって、
上記遠隔操作装置は、
当該遠隔操作装置の周囲の照度を測定する照度測定手段と、
上記照度測定手段によって測定された照度の値と所定の閾値とから各発光素子の点灯パターンを導出する導出手段と、
上記導出手段によって導出された点灯パターンを示す点灯パターン情報を上記照明装置に送信する送信手段と、を備え、
上記照明装置は、
上記遠隔操作装置から受信した上記点灯パターン情報の示す点灯パターンに従って、各発光素子の点灯及び消灯を個別に制御する制御手段を備えている、
ことを特徴とする照明制御システム。
【請求項２】
上記導出手段は、照度の各値と上記所定の閾値との各差分値と各点灯パターンとが対応付けられた対応情報を参照し、上記照度測定手段によって測定した照度の値と上記所定の閾値との差分値に基づいて上記点灯パターンを導出する、
ことを特徴とする請求項１に記載の照明制御システム。
【請求項３】
上記照明装置を複数備えており、
上記照度測定手段によって測定される照度は、上記複数の照明装置が重複して照射する重複領域の照度であり、
上記点灯パターンは、上記照度が上記所定の閾値より大きいときに上記重複領域の照度を低下させるものである、
ことを特徴とする請求項１又は２に記載の照明制御システム。
【請求項４】
複数の発光素子を有する照明装置であって、
各発光素子の点灯及び消灯を個別に制御するための点灯パターン情報の示す点灯パターンに従って、各発光素子の点灯及び消灯を個別に制御する制御手段を備えている、
ことを特徴とする照明装置。
【請求項５】
複数の発光素子を有する照明装置を操作する遠隔操作装置であって、
当該遠隔操作装置の周囲の照度を測定する照度測定手段と、
上記照度測定手段によって測定された照度の値と所定の閾値とから発光素子の点灯パターンを導出する導出手段と、
上記導出手段によって導出された点灯パターンを示す点灯パターン情報を上記照明装置に送信する送信手段と、を備えている、
ことを特徴とする遠隔操作装置。
【請求項６】
複数の発光素子を有する照明装置及び上記照明装置を操作する遠隔操作装置の制御方法であって、
上記遠隔操作装置の周囲の照度を測定する照度測定ステップと、
上記照度測定ステップにおいて測定された照度の値と所定の閾値とから各発光素子の点灯パターンを導出する導出ステップと、
上記導出ステップにおいて導出された点灯パターンを示す点灯パターン情報を上記照明装置に送信する送信ステップと、
上記送信ステップにおいて送信された上記点灯パターン情報の示す点灯パターンに従って、上記照明装置の有する各発光素子の点灯及び消灯を個別に制御する制御ステップと、を含んでいる、
ことを特徴とする制御方法。
【請求項７】
コンピュータを請求項４に記載の照明装置として動作させるためのプログラムであって、上記コンピュータを上記照明装置の各手段として機能させるプログラム。
【請求項８】
コンピュータを請求項５に記載の遠隔操作装置として動作させるためのプログラムであって、上記コンピュータを上記遠隔操作装置の各手段として機能させるプログラム。
【請求項９】
請求項７又は８に記載のプログラムを記録したコンピュータ読み取り可能な記録媒体。